(57)【要約】【課題】利用者の嗜好にあったアドバイザーに服飾のコーディネーションを行わせる得る服飾アドバイスシステムを提供する。【解決手段】服飾アドバイスシステムにおいて、管理サーバ１２は、利用者情報を記憶する利用者情報記憶手段、入札情報を記憶する入札情報記憶手段、利用者情報を開示する利用者情報開示手段、アドバイザーから選出された利用者端末１４に入札情報を開示する入札情報開示手段、端末１３と端末１４とを関連付けて記憶する端末記憶手段を有する。登録アドバイザー端末１３は、各種複数のポータルサイトに掲載された服飾データの中から登録利用者端末１４の利用者用の服飾データを取得する服飾データ取得手段、それら服飾データから端末１４の利用者用のコーディネーションデータを作成するコーディネーションデータ作成手段、コーディネーションデータをサーバ１２を介して端末１４に送信するコーディネーションデータ送信手段とを有する。【選択図】図１
2015026190.tif 000002
【特許請求の範囲】
【請求項１】
インターネットを利用して服飾のコーディネーションをアドバイスする服飾アドバイスシステムにおいて、
前記服飾アドバイスシステムが、前記インターネット上に存在する管理サーバと、前記サーバにインターネットを介してアクセス可能であって前記服飾のコーディネーションをアドバイスする不特定多数のアドバイザーが使用する各種複数のアドバイザー端末と、前記サーバにインターネットを介してアクセス可能であって前記服飾のコーディネーションのアドバイスを希望する不特定多数の利用者が使用する各種複数の利用者端末とを備え、
前記管理サーバが、それら利用者の各種複数の利用者情報を記憶する利用者情報記憶手段と、それらアドバイザーの入札情報を記憶する入札情報記憶手段と、それら利用者情報をそれらアドバイザー端末に開示する利用者情報開示手段と、前記利用者情報開示手段によって開示された利用者情報に基づいてそれらアドバイザーが所望の利用者を選出したときに、前記アドバイザーから選出された利用者の利用者端末にそれらアドバイザーの入札情報を開示する入札情報開示手段と、前記入札情報開示手段によって開示された入札情報に基づいてそれら利用者が所望のアドバイザーを選出したときに、前記利用者から選出されたアドバイザーのアドバイザー端末を登録アドバイザー端末としてその端末と前記アドバイザーを選出した利用者の利用者端末を登録利用者端末としてその端末とを関連付けて記憶する端末記憶手段とを有し、
前記登録アドバイザー端末が、前記利用者情報を参照しつつ前記インターネット上に存在する各種複数のポータルサイトに掲載された各種複数の服飾データの中から前記登録利用者端末の利用者用の各種複数の服飾データを取得する服飾データ取得手段と、前記服飾データ取得手段によって取得した各種複数の服飾データを前記登録利用者端末の利用者用にコーディネーションして各種複数のコーディネーションデータを作成するコーディネーションデータ作成手段と、前記コーディネーションデータ作成手段によって作成したそれらコーディネーションデータを前記サーバを介して前記登録利用者端末に送信するコーディネーションデータ送信手段とを有することを特徴する服飾アドバイスシステム。
【請求項２】
前記管理サーバが、それらアドバイザーの各種複数のアドバイザー情報を記憶するアドバイザー情報記憶手段と、前記利用者情報開示手段によって開示された利用者情報に基づいてそれらアドバイザーが所望の利用者を選出したときに、前記アドバイザーから選出された利用者の利用者端末にそれらアドバイザーのアドバイザー情報を開示するアドバイザー情報開示手段とを含み、それら利用者が、前記入札情報と前記アドバイザー情報開示手段によって開示された前記アドバイザー情報とに基づいて所望のアドバイザーを選出する請求項１に記載の服飾アドバイスシステム。
【請求項３】
前記登録アドバイザー端末が、前記服飾品データ取得手段によって取得したそれら服飾データを前記サーバを介して前記登録利用者端末に送信する服飾データ送信手段を含み、前記登録利用者端末が、前記服飾データ送信手段によって送信されたそれら服飾データの中から所望の服飾データを選択しつつ、選択した服飾データを前記サーバを介して前記登録アドバイザー端末に返信する服飾データ返信手段を含み、前記コーディネーションデータ作成手段では、前記服飾データ返信手段によって返信された服飾データを参酌しつつ前記コーディネーションデータを作成する請求項１ないし請求項２に記載の服飾アドバイスシステム。
【請求項４】
前記登録アドバイザー端末が、前記服飾データ選択手段によって選択したそれら服飾データの服飾の金額データを前記サーバを介して前記登録利用者端末に送信する金額データ送信手段を含み、前記登録利用者端末が、前記金額データ送信手段によって送信されたそれら金額データの中から所望の金額データを選択しつつ、選択した金額データを前記サーバを介して前記登録アドバイザー端末に返信する金額データ返信手段を含み、前記コーディネーションデータ作成手段では、前記金額データ返信手段によって返信された金額データに対応する服飾データを参酌しつつ前記コーディネーションデータを作成する請求項１ないし請求項３いずれかに記載の服飾アドバイスシステム。
【請求項５】
前記登録アドバイザー端末が、前記服飾データ選択手段によって選択したそれら服飾データの服飾のブランドデータを前記サーバを介して前記登録利用者端末に送信するブランドデータ送信手段を含み、前記登録利用者端末が、前記ブランドデータ送信手段によって送信されたそれらブランドデータの中から所望のブランドデータを選択しつつ、選択したブランドデータを前記サーバを介して前記登録アドバイザー端末に返信するブランドデータ返信手段を含み、前記コーディネーションデータ作成手段では、前記ブランドデータ返信手段によって返信されたブランドデータに対応する服飾データを参酌しつつ前記コーディネーションデータを作成する請求項１ないし請求項４いずれかに記載の服飾アドバイスシステム。
【請求項６】
前記登録アドバイザー端末が、前記服飾データ選択手段によって選択したそれら服飾データの服飾のデザイナーデータを前記サーバを介して前記登録利用者端末に送信するデザイナーデータ送信手段を含み、前記登録利用者端末が、前記デザイナーデータ送信手段によって送信されたそれらデザイナーデータの中から所望のデザイナーデータを選択しつつ、選択したデザイナーデータを前記サーバを介して前記登録アドバイザー端末に返信するデザイナーデータ返信手段を含み、前記コーディネーションデータ作成手段では、前記デザイナーデータ返信手段によって返信されたデザイナーデータに対応する服飾データを参酌しつつ前記コーディネーションデータを作成する請求項１ないし請求項５いずれかに記載の服飾アドバイスシステム。
【請求項７】
前記登録アドバイザー端末が、前記服飾データ選択手段によって選択したそれら服飾データの服飾を扱うショップデータを前記サーバを介して前記登録利用者端末に送信するショップデータ送信手段を含み、前記登録利用者端末が、前記ショップデータ送信手段によって送信されたそれらショップデータの中から所望のショップデータを選択しつつ、選択したショップデータを前記サーバを介して前記登録アドバイザー端末に返信するショップデータ返信手段を含み、前記コーディネーションデータ作成手段では、前記ショップデータ返信手段によって返信されたショップデータに対応する服飾データを参酌しつつ前記コーディネーションデータを作成する請求項１ないし請求項６いずれかに記載の服飾アドバイスシステム。
【請求項８】
前記登録アドバイザー端末が、前記服飾データ選択手段によって選択したそれら服飾データの服飾を掲載する書籍データを前記サーバを介して前記登録利用者端末に送信する書籍データ送信手段を含み、前記登録利用者端末が、前記書籍データ送信手段によって送信されたそれら書籍データの中から所望の書籍データを選択しつつ、選択した書籍データを前記サーバを介して前記登録アドバイザー端末に返信する書籍データ返信手段を含み、前記コーディネーションデータ作成手段では、前記書籍データ返信手段によって返信された書籍データに掲載された服飾データを参酌しつつ前記コーディネーションデータを作成する請求項１ないし請求項７いずれかに記載の服飾アドバイスシステム。
【請求項９】
前記登録アドバイザー端末が、前記服飾データ選択手段によって選択したそれら服飾データの服飾を着用したモデルデータを前記サーバを介して前記登録利用者端末に送信するモデルデータ送信手段を含み、前記登録利用者端末が、前記モデルデータ送信手段によって送信されたそれらモデルデータの中から所望のモデルデータを選択しつつ、選択したモデルデータを前記サーバを介して前記登録アドバイザー端末に返信するモデルデータ返信手段を含み、前記コーディネーションデータ作成手段では、前記モデルデータ返信手段によって返信されたモデルデータに対応する服飾データを参酌しつつ前記コーディネーションデータを作成する請求項１ないし請求項８いずれかに記載の服飾アドバイスシステム。
【請求項１０】
前記利用者情報には、前記利用者の写真、前記利用者のスリーサイズ、前記利用者の性別、前記利用者の年齢、前記利用者の嗜好、前記利用者の住所、アドバイス希望金額、アドバイス希望期間、アドバイス希望地域、アドバイス希望方法が含まれる請求項１ないし請求項９いずれかに記載の服飾アドバイスシステム。
【請求項１１】
前記入札情報には、アドバイス金額、アドバイス期間、アドバイス地域、アドバイス方法が含まれる請求項１ないし請求項１０いずれかに記載の服飾アドバイスシステム。
【請求項１２】
前記アドバイザー情報には、前記アドバイザーの過去の実績、前記アドバイザーの服飾専門分野、前記アドバイザーの写真、前記アドバイザーの性別、前記アドバイザーの年齢、前記アドバイザーの嗜好、前記アドバイザーの住所が含まれる請求項２ないし請求項１１いずれかに記載の服飾アドバイスシステム。
【発明の詳細な説明】
【技術分野】
【０００１】
本発明は、インターネットを利用して服飾のコーディネーションをアドバイスする服飾アドバイスシステムに関する。
【背景技術】
【０００２】
利用者とファッションアドバイザーとの仲介を行う電子ファッションコーディネーションシステムが開示されている（特許文献１参照）。この電子ファッションコーディネーションシステムは、利用者またはファッションアドバイザーの端末と接続する通信手段と、利用者の基本情報を登録する基本情報登録手段と、利用者の所有物の画像を登録する画像登録手段と、利用者またはファッションアドバイザーからのメッセージを受信するメッセージ受信手段と、利用者またはファッションアドバイザーが登録された画像を選択する画像選択手段と、前記基本情報、所有物の画像、メッセージ、および画像の選択を記憶するデータベースと、登録または選択された画像およびメッセージを利用者またはファッションアドバイザーの端末に表示させる情報送信手段とを有する。電子ファッションコーディネーションシステムでは、ユーザが所持している服飾品の情報をサーバに登録し、その服飾品の情報をネットワークを介してファッションアドバイザーに閲覧させ、服飾品のコーディネーションに関する情報がファッションアドバイザーから利用者へ送信される。
【先行技術文献】
【特許文献】
【０００３】
【特許文献１】特開２００５−１８５１８号公報
【発明の概要】
【発明が解決しようとする課題】
【０００４】
前記特許文献１に開示の電子ファッションコーディネーションシステムは、利用者が複数のファッションアドバイザーの中から所望のアドバイザーを選択することができず、利用者の意思に合致したファッションアドバイザーに服飾のコーディネーションを行わせることができない。また、利用者が所持している服飾品に対してコーディネーションのアドバイスが行われるだけであり、利用者が所持している服飾以外の各種複数の服飾を利用することができず、それら服飾をコーディネーションした情報を送信することができない。
【０００５】
本発明の目的は、複数のアドバイザーの中から利用者が所望のアドバイザーを選択することができ、利用者の嗜好にあったアドバイザーに服飾のコーディネーションを行わせることができる服飾アドバイスシステムを提供することにある。本発明の他の目的は、ポータルサイトに掲載された各種複数の服飾を利用して利用者に似合う各種複数の服飾を選択することができ、利用者に似合う各種複数の服飾をコーディネーションしたコーディネーションデータを作成することができる服飾アドバイスシステムを提供することにある。
【課題を解決するための手段】
【０００６】
前記課題を解決するための本発明の前提は、インターネットを利用して服飾のコーディネーションをアドバイスする服飾アドバイスシステムである。
【０００７】
前記前提における本発明の特徴は、服飾アドバイスシステムが、インターネット上に存在する管理サーバと、管理サーバにインターネットを介してアクセス可能であって服飾のコーディネーションをアドバイスする不特定多数のアドバイザーが使用する各種複数のアドバイザー端末と、管理サーバにインターネットを介してアクセス可能であって服飾のコーディネーションのアドバイスを希望する不特定多数の利用者が使用する各種複数の利用者端末とを備え、管理サーバが、それら利用者の各種複数の利用者情報を記憶する利用者情報記憶手段と、それらアドバイザーの入札情報を記憶する入札情報記憶手段と、それら利用者情報をそれらアドバイザー端末に開示する利用者情報開示手段と、利用者情報開示手段によって開示された利用者情報に基づいてそれらアドバイザーが所望の利用者を選出したときに、アドバイザーから選出された利用者の利用者端末にそれらアドバイザーの入札情報を開示する入札情報開示手段と、入札情報開示手段によって開示された入札情報に基づいてそれら利用者が所望のアドバイザーを選出したときに、利用者から選出されたアドバイザーのアドバイザー端末を登録アドバイザー端末としてその端末とアドバイザーを選出した利用者の利用者端末を登録利用者端末としてその端末とを関連付けて記憶する端末記憶手段とを有し、登録アドバイザー端末が、利用者情報を参照しつつインターネット上に存在する各種複数のポータルサイトに掲載された各種複数の服飾データの中から登録利用者端末の利用者用の各種複数の服飾データを取得する服飾データ取得手段と、服飾データ取得手段によって取得した各種複数の服飾データを登録利用者端末の利用者用にコーディネーションして各種複数のコーディネーションデータを作成するコーディネーションデータ作成手段と、コーディネーションデータ作成手段によって作成したそれらコーディネーションデータを管理サーバを介して登録利用者端末に送信するコーディネーションデータ送信手段とを有することにある。
【０００８】
本発明にかかる服飾アドバイスシステムの一例としては、管理サーバが、それらアドバイザーの各種複数のアドバイザー情報を記憶するアドバイザー情報記憶手段と、利用者情報開示手段によって開示された利用者情報に基づいてそれらアドバイザーが所望の利用者を選出したときに、アドバイザーから選出された利用者の利用者端末にそれらアドバイザーのアドバイザー情報を開示するアドバイザー情報開示手段とを含み、それら利用者が入札情報とアドバイザー情報開示手段によって開示されたアドバイザー情報とに基づいて所望のアドバイザーを選出する。
【０００９】
本発明にかかる服飾アドバイスシステムの他の一例としては、登録アドバイザー端末が、服飾品データ取得手段によって取得したそれら服飾データを管理サーバを介して登録利用者端末に送信する服飾データ送信手段を含み、登録利用者端末が、服飾データ送信手段によって送信されたそれら服飾データの中から所望の服飾データを選択しつつ、選択した服飾データを管理サーバを介して登録アドバイザー端末に返信する服飾データ返信手段を含み、コーディネーションデータ作成手段では、服飾データ返信手段によって返信された服飾データを参酌しつつコーディネーションデータを作成する。
【００１０】
本発明にかかる服飾アドバイスシステムの他の一例としては、登録アドバイザー端末が、服飾データ選択手段によって選択したそれら服飾データの服飾の金額データを管理サーバを介して登録利用者端末に送信する金額データ送信手段を含み、登録利用者端末が、金額データ送信手段によって送信されたそれら金額データの中から所望の金額データを選択しつつ、選択した金額データを管理サーバを介して登録アドバイザー端末に返信する金額データ返信手段を含み、コーディネーションデータ作成手段では、金額データ返信手段によって返信された金額データに対応する服飾データを参酌しつつコーディネーションデータを作成する。
【００１１】
本発明にかかる服飾アドバイスシステムの他の一例としては、登録アドバイザー端末が、服飾データ選択手段によって選択したそれら服飾データの服飾のブランドデータを管理サーバを介して登録利用者端末に送信するブランドデータ送信手段を含み、登録利用者端末が、ブランドデータ送信手段によって送信されたそれらブランドデータの中から所望のブランドデータを選択しつつ、選択したブランドデータを管理サーバを介して登録アドバイザー端末に返信するブランドデータ返信手段を含み、コーディネーションデータ作成手段では、ブランドデータ返信手段によって返信されたブランドデータに対応する服飾データを参酌しつつコーディネーションデータを作成する。
【００１２】
本発明にかかる服飾アドバイスシステムの他の一例としては、登録アドバイザー端末が、服飾データ選択手段によって選択したそれら服飾データの服飾のデザイナーデータを管理サーバを介して登録利用者端末に送信するデザイナーデータ送信手段を含み、登録利用者端末が、デザイナーデータ送信手段によって送信されたそれらデザイナーデータの中から所望のデザイナーデータを選択しつつ、選択したデザイナーデータを管理サーバを介して登録アドバイザー端末に返信するデザイナーデータ返信手段を含み、コーディネーションデータ作成手段では、デザイナーデータ返信手段によって返信されたデザイナーデータに対応する服飾データを参酌しつつコーディネーションデータを作成する。
【００１３】
本発明にかかる服飾アドバイスシステムの他の一例としては、登録アドバイザー端末が、服飾データ選択手段によって選択したそれら服飾データの服飾を扱うショップデータを管理サーバを介して登録利用者端末に送信するショップデータ送信手段を含み、登録利用者端末が、ショップデータ送信手段によって送信されたそれらショップデータの中から所望のショップデータを選択しつつ、選択したショップデータを管理サーバを介して登録アドバイザー端末に返信するショップデータ返信手段を含み、コーディネーションデータ作成手段では、ショップデータ返信手段によって返信されたショップデータに対応する服飾データを参酌しつつコーディネーションデータを作成する。
【００１４】
本発明にかかる服飾アドバイスシステムの他の一例としては、登録アドバイザー端末が、服飾データ選択手段によって選択したそれら服飾データの服飾を掲載する書籍データを管理サーバを介して登録利用者端末に送信する書籍データ送信手段を含み、登録利用者端末が、書籍データ送信手段によって送信されたそれら書籍データの中から所望の書籍データを選択しつつ、選択した書籍データを管理サーバを介して登録アドバイザー端末に返信する書籍データ返信手段を含み、コーディネーションデータ作成手段では、書籍データ返信手段によって返信された書籍データに掲載された服飾データを参酌しつつコーディネーションデータを作成する。
【００１５】
本発明にかかる服飾アドバイスシステムの他の一例としては、登録アドバイザー端末が、服飾データ選択手段によって選択したそれら服飾データの服飾を着用したモデルデータを、管理サーバを介して登録利用者端末に送信するモデルデータ送信手段を含み、登録利用者端末が、モデルデータ送信手段によって送信されたそれらモデルデータの中から所望のモデルデータを選択しつつ、選択したモデルデータを管理サーバを介して登録アドバイザー端末に返信するモデルデータ返信手段を含み、コーディネーションデータ作成手段では、モデルデータ返信手段によって返信されたモデルデータに対応する服飾データを参酌しつつコーディネーションデータを作成する。
【００１６】
本発明にかかる服飾アドバイスシステムの他の一例として、利用者情報には、利用者の写真、利用者のスリーサイズ、利用者の性別、利用者の年齢、利用者の嗜好、利用者の住所、アドバイス希望金額、アドバイス希望期間、アドバイス希望地域、アドバイス希望方法が含まれる。
【００１７】
本発明にかかる服飾アドバイスシステムの他の一例として、入札情報には、アドバイス金額、アドバイス期間、アドバイス地域、アドバイス方法が含まれる。
【００１８】
本発明にかかる服飾アドバイスシステムの他の一例として、アドバイザー情報には、アドバイザーの過去の実績、アドバイザーの服飾専門分野、アドバイザーの写真、アドバイザーの性別、アドバイザーの年齢、アドバイザーの嗜好、前記アドバイザーの住所が含まれる。
【発明の効果】
【００１９】
本発明にかかる服飾アドバイスシステムによれば、開示された利用者情報に基づいてそれらアドバイザーが所望の利用者を選出したときに、選出した利用者の利用者端末にそれらアドバイザーの入札情報を開示し、開示された入札情報に基づいてそれら利用者が所望のアドバイザーを選出するから、複数のアドバイザーの中から利用者が自分の入札条件を備えたアドバイザーを選ぶことができ、利用者の入札条件に合致したアドバイザーに服飾のコーディネーションを行わせることができる。服飾アドバイスシステムは、利用者情報を参照しつつインターネット上に存在する各種複数のポータルサイトに掲載された各種複数の服飾データの中から利用者に似合う各種複数の服飾データを取得し、ポータルサイトから取得した利用者用の各種複数の服飾データをコーディネーションして各種複数のコーディネーションデータを作成するから、ポータルサイトを利用して各種複数の服飾の中から利用者に似合う服飾を選ぶことができ、利用者に似合う各種複数の服飾をコーディネーションしたコーディネーションデータを各利用者に提供することができる。また、登録利用者端末の利用者は、登録アドバイザー端末のアドバイザーから提供されたコーディネーションデータを利用することで、自分に似合う自分だけのオリジナルな服飾の組み合わせを取得することができ、ファッションセンスの向上を図ることができる。
【００２０】
利用者情報開示手段によって開示された利用者情報に基づいてそれらアドバイザーが所望の利用者を選出したときに、アドバイザーから選出された利用者の利用者端末にそれらアドバイザーのアドバイザー情報を開示し、それら利用者が入札情報とアドバイザー情報とに基づいて所望のアドバイザーを選出する服飾アドバイスシステムは、開示された入札情報やアドバイザー情報に基づいてそれら利用者が所望のアドバイザーを選出するから、複数のアドバイザーの中から利用者が自分の入札条件や嗜好、希望にあったアドバイザーを選ぶことができ、利用者の入札条件や嗜好、希望に合致したアドバイザーに服飾のコーディネーションを行わせることができる。服飾アドバイスシステムは、利用者の入札条件や嗜好に合致したアドバイザーがポータルサイトから選択した利用者用の各種複数の服飾データをコーディネーションして各種複数のコーディネーションデータを作成するから、ポータルサイトを利用して各種複数の服飾の中から利用者に似合う服飾を選ぶことができ、利用者に似合う各種複数の服飾をコーディネーションしたコーディネーションデータを各利用者に提供することができる。
【００２１】
取得したそれら服飾データが登録アドバイザー端末から登録利用者端末に送信され、送信されたそれら服飾データの中から所望の服飾データを選択しつつ、選択された服飾データが登録利用者端末から登録アドバイザー端末に返信され、返信された服飾データを参酌してアドバイザーがコーディネーションデータを作成する服飾アドバイスシステムは、登録アドバイザー端末から送信された服飾データの中から利用者が自分の嗜好にあった服飾データを選択することができ、好みの服飾データを参酌させた状態でアドバイザーに服飾のコーディネーションを行わせることができる。服飾アドバイスシステムは、アドバイザーがポータルサイトから選択した各種複数の服飾データの中から利用者の嗜好に合致した服飾データをコーディネーションして各種複数のコーディネーションデータを作成するから、利用者の好みの服飾をコーディネーションしたコーディネーションデータを各利用者に提供することができる。
【００２２】
選択したそれら服飾データの服飾の金額データが登録アドバイザー端末から登録利用者端末に送信され、送信されたそれら金額データの中から所望の金額データを選択しつつ、選択された金額データが登録利用者端末から登録アドバイザー端末に返信され、返信された金額データを参酌してアドバイザーがコーディネーションデータを作成する服飾アドバイスシステムは、登録アドバイザー端末から送信された服飾データの中から利用者が自分の予算にあった金額の服飾データを選択することができ、予算内の服飾データを参酌させた状態でアドバイザーに服飾のコーディネーションを行わせることができる。服飾アドバイスシステムは、アドバイザーがポータルサイトから選択した各種複数の服飾データの中から利用者の予算にあった服飾データをコーディネーションして各種複数のコーディネーションデータを作成するから、利用者の予算にあった服飾をコーディネーションしたコーディネーションデータを各利用者に提供することができる。
【００２３】
選択したそれら服飾データの服飾のブランドデータが登録アドバイザー端末から登録利用者端末に送信され、送信されたそれらブランドデータの中から所望のブランドデータを選択しつつ、選択されたブランドデータが登録利用者端末から登録アドバイザー端末に返信され、返信されたブランドデータを参酌してアドバイザーがコーディネーションデータを作成する服飾アドバイスシステムは、登録アドバイザー端末から送信されたブランドデータの中から利用者が自分の嗜好にあったブランドデータを選択することができ、好みのブランドデータを参酌させた状態でアドバイザーに服飾のコーディネーションを行わせることができる。服飾アドバイスシステムは、アドバイザーがポータルサイトから選択した各種複数の服飾データの服飾のブランドデータの中から利用者の嗜好に合致したブランドの服飾をコーディネーションして各種複数のコーディネーションデータを作成するから、利用者の好みのブランドの服飾をコーディネーションしたコーディネーションデータを各利用者に提供することができる。
【００２４】
選択したそれら服飾データの服飾のデザイナーデータが登録アドバイザー端末から登録利用者端末に送信され、送信されたそれらデザイナーデータの中から所望のデザイナーデータを選択しつつ、選択されたデザイナーデータが登録利用者端末から登録アドバイザー端末に返信され、返信されたデザイナーデータを参酌してアドバイザーがコーディネーションデータを作成する服飾アドバイスシステムは、登録アドバイザー端末から送信されたデザイナーデータの中から利用者が自分の好きなデザイナーデータを選択することができ、好みのデザイナーデータを参酌させた状態でアドバイザーに服飾のコーディネーションを行わせることができる。服飾アドバイスシステムは、アドバイザーがポータルサイトから選択した各種複数の服飾データの服飾のデザイナーデータの中から利用者の好きなデザイナーの服飾をコーディネーションして各種複数のコーディネーションデータを作成するから、利用者の好みのデザイナーの服飾をコーディネーションしたコーディネーションデータを各利用者に提供することができる。
【００２５】
選択したそれら服飾データの服飾のショップデータが登録アドバイザー端末から登録利用者端末に送信され、送信されたそれらショップデータの中から所望のショップデータを選択しつつ、選択されたショップデータが登録利用者端末から登録アドバイザー端末に返信され、返信されたショップデータを参酌してアドバイザーがコーディネーションデータを作成する服飾アドバイスシステムは、登録アドバイザー端末から送信されたショップデータの中から利用者が自分の好きなショップデータを選択することができ、好みのショップデータを参酌させた状態でアドバイザーに服飾のコーディネーションを行わせることができる。服飾アドバイスシステムは、アドバイザーがポータルサイトから選択した各種複数の服飾データの服飾のショップデータの中から利用者の好きなショップの服飾をコーディネーションして各種複数のコーディネーションデータを作成するから、利用者の好みのショップの服飾をコーディネーションしたコーディネーションデータを各利用者に提供することができる。
【００２６】
選択したそれら服飾データの服飾を掲載した書籍データが登録アドバイザー端末から登録利用者端末に送信され、送信されたそれら書籍データの中から所望の書籍データを選択しつつ、選択された書籍データが登録利用者端末から登録アドバイザー端末に返信され、返信された書籍データに掲載された服飾データを参酌してアドバイザーがコーディネーションデータを作成する服飾アドバイスシステムは、登録アドバイザー端末から送信された書籍データの中から利用者が自分の好きな書籍データを選択することができ、好みの書籍データに掲載された服飾データを参酌させた状態でアドバイザーに服飾のコーディネーションを行わせることができる。服飾アドバイスシステムは、アドバイザーがポータルサイトから選択した各種複数の服飾データの服飾の書籍データの中から利用者の好きな書籍に掲載された服飾をコーディネーションして各種複数のコーディネーションデータを作成するから、利用者の好みの書籍に掲載された服飾をコーディネーションしたコーディネーションデータを各利用者に提供することができる。
【００２７】
選択したそれら服飾データの服飾を着用したモデルデータが登録アドバイザー端末から登録利用者端末に送信され、送信されたそれらモデルデータの中から所望のモデルデータを選択しつつ、選択されたモデルデータが登録利用者端末から登録アドバイザー端末に返信され、返信されたモデルデータの服飾データを参酌してアドバイザーがコーディネーションデータを作成する服飾アドバイスシステムは、登録アドバイザー端末から送信されたモデルデータの中から利用者が自分の好きなモデルデータを選択することができ、好みのモデルデータの服飾データを参酌させた状態でアドバイザーに服飾のコーディネーションを行わせることができる。服飾アドバイスシステムは、アドバイザーがポータルサイトから選択した各種複数の服飾データの服飾を着用したモデルデータの中から利用者の好きなモデルが着用した服飾をコーディネーションして各種複数のコーディネーションデータを作成するから、利用者の好みのモデルが着用した服飾をコーディネーションしたコーディネーションデータを各利用者に提供することができる。
【００２８】
利用者情報として、利用者の写真、利用者のスリーサイズ、利用者の性別、利用者の年齢、利用者の嗜好、利用者の住所、アドバイス希望金額、アドバイス希望期間、アドバイス希望地域、アドバイス希望方法が含まれる服飾アドバイスシステムは、開示されたそれら利用者情報に基づいてそれらアドバイザーが所望の利用者を選出するから、複数の利用者の中からアドバイザーが自分のキャリアや実績を活かすことができる利用者を選ぶことができ、アドバイザーの実力にあった利用者に対して服飾のコーディネーションをアドバイスすることができる。
【００２９】
入札情報として、アドバイス金額、アドバイス期間、アドバイス地域、アドバイス方法が含まれる服飾アドバイスシステムは、開示されたそれら入札情報に基づいてそれら利用者が所望のアドバイザーを選出するから、複数のアドバイザーの中から利用者が自分の入札条件を備えたアドバイザーを選ぶことができ、利用者の入札条件に合致したアドバイザーに服飾のコーディネーションを行わせることができる。服飾アドバイスシステムは、それら入札情報に基づいて利用者に選ばれたアドバイザーがポータルサイトから選択した利用者用の各種複数の服飾データをコーディネーションして各種複数のコーディネーションデータを作成するから、利用者の入札条件に合致したアドバイザーによってコーディネーションされたコーディネーションデータを各利用者に提供することができる。
【００３０】
アドバイザー情報として、アドバイザーの過去の実績、アドバイザーの服飾専門分野、アドバイザーの写真、アドバイザーの性別、アドバイザーの年齢、アドバイザーの嗜好、アドバイザーの住所が含まれる服飾アドバイスシステムは、開示されたそれらアドバイザー情報に基づいてそれら利用者が所望のアドバイザーを選出するから、複数のアドバイザーの中から利用者が自分の好みのアドバイザーを選ぶことができ、利用者の嗜好にあったアドバイザーに服飾のコーディネーションを行わせることができる。服飾アドバイスシステムは、それらアドバイザー情報に基づいて利用者に選ばれたアドバイザーがポータルサイトから選択した利用者用の各種複数の服飾データをコーディネーションして各種複数のコーディネーションデータを作成するから、利用者の好みのアドバイザーによってコーディネーションされたコーディネーションデータを各利用者に提供することができる。
【図面の簡単な説明】
【００３１】
【図１】一例として示す服飾アドバイスシステムの概略構成図。
【図２】管理サーバからアドバイザー端末や利用者端末への服飾アドバイスアプリケーションのインストールを説明する図。
【図３】利用者端末から管理サーバへの利用者情報の送信を説明する図。
【図４】利用者端末に表示された服飾アドバイスシステムの初期画面の一例を示す図。
【図５】利用者情報送信画面の一例を示す図。
【図６】アドバイザー端末から管理サーバへのアドバイザー情報の送信を説明する図。
【図７】アドバイザー端末に表示された服飾アドバイスシステムの初期画面の一例を示す図。
【図８】アドバイザー情報送信画面の一例を示す図。
【図９】入札情報送信画面の一例を示す図。
【図１０】システムにおける入札手順を説明する図。
【図１１】入札応募確認画面の一例を示す図。
【図１２】利用者情報開示画面の一例を示す図。
【図１３】アドバイザー募集確認画面の一例を示す図。
【図１４】アドバイザー・入札情報開示画面の一例を示す図。
【図１５】服飾データおよびその他の各種データの送信を示す図。
【図１６】利用者名一覧画面の一例を示す図。
【図１７】服飾データ選択画面の一例を示す図。
【図１８】服飾データの詳細表示の一例を示す図。
【図１９】服飾データおよびその他の各種データの返信を示す図。
【図２０】アドバイザー名一覧画面の一例を示す図。
【図２１】服飾データ返信・表示画面の一例を示す図。
【図２２】コーディネーションデータ作成・表示画面の一例を示す図。
【図２３】作成されたコーディネーションデータの詳細表示画面の一例を示す図。
【図２４】コーディネーションデータの受信を示す図。
【図２５】コーディネーションデータ表示画面の一例を示す図。
【図２６】受信したコーディネーションデータの詳細表示画面の一例を示す図。
【発明を実施するための形態】
【００３２】
一例として示す服飾アドバイスシステム１０の概略構成図である図１等の添付の図面を参照し、本発明にかかる服飾アドバイスシステムの詳細を説明すると、以下のとおりである。服飾アドバイスシステム１０は、インターネット１１を利用して各アドバイザーが服飾のコーディネーションを各利用者にアドバイスするシステムである。服飾には、人がその身体にまとう衣服や履物、被り物、身に付ける装身具等のすべてが含まれる。
【００３３】
服飾アドバイスシステム１０は、インターネット１１上に存在する管理サーバ１２と、服飾のコーディネーションをアドバイスする不特定多数のアドバイザーが使用する各種複数のアドバイザー端末１３（コンピュータ、スマートフォン、タブレット、携帯電話等）と、服飾のコーディネーションのアドバイスを希望する不特定多数の利用者が使用する各種複数の利用者端末１４（コンピュータ、スマートフォン、タブレット、携帯電話等）とから形成されている。
【００３４】
なお、図１では、アドバイザー端末１３（登録アドバイザー端末１３）としてそれぞれ１台のノートパソコン１３Ａやスマートフォン１３Ｂ、タブレット１３Ｃを図示し、利用者端末１４（登録利用者端末１４）としてそれぞれ１台のノートパソコン１４Ａやスマートフォン１４Ｂ、タブレット１４Ｃを図示しているが、実際には２〜ｎ台の複数のコンピュータやスマートフォン、タブレット、携帯電話等によってこのシステム１０が形成される。また、図１では、１台の物理的な管理サーバ１２を図示しているが、バーチャル管理サーバがこのシステム１０を形成する場合があり、２台以上の物理的な管理サーバや２台以上のバーチャル管理サーバがこのシステム１０を形成する場合がある。
【００３５】
管理サーバ１２は、このシステム１０を運営する企業が契約するデータセンターに設置または仮想されているが、その企業内に設置される場合もある。管理サーバ１２は、中央処理装置（ＣＰＵまたはＭＰＵ）とメインメモリおよびキャッシュメモリとを有して独立したオペレーティングシステム（ＯＳ）によって動作する物理的なコンピュータまたは仮想されたバーチャルコンピュータであり、物理的な大容量ハードディスクまたは仮想された大容量ハードディスクを実装している。なお、図示はしていないが、管理サーバ１２には、キーボードやマウス等の入力装置、ディスプレイやプリンタ等の出力装置がインターフェイスを介して接続されている。
【００３６】
管理サーバ１２は、ホスト名とそのホスト名に割り当てるＩＰアドレスとの対応付けを設定するＤＮＳサーバ機能、ホームページを公開するために必要なＷｅｂサーバ機能、他のコンピュータや他のサーバからの要求を受け付けて各種情報を読み書きする機能を提供するデータベースサーバ機能、電子メールの送受信用のメールサーバ機能、作成された文章や画像等のデータをすべて保存してそれらのデータを検索可能にするドキュメントサーバ機能等の各種サーバ機能を有する。管理サーバ１２は、インターネット１１に接続された各種複数のＤＮＳサーバ等を経由しつつ、インターネット１１を利用して不特定多数のサーバ（物理サーバや仮想サーバ）にアクセスかつログインすることができ、インターネット１１を利用して不特定多数のパソコンやスマートフォン、タブレット、携帯電話等にアクセスすることができるとともに、インターネット１１において各種の検索エンジンを利用することができる。
【００３７】
管理サーバ１２のハードディスクには、利用者端末１４（ノートパソコン１４Ａ、スマートフォン１４Ｂ、タブレット１４Ｃ）やアドバイザー端末１３（ノートパソコン１３Ａ、スマートフォン１３Ｂ、タブレット１３Ｃ）に提供する服飾アドバイスアプリケーションが記憶されている。管理サーバ１２のハードディスクには、それらアドバイザー端末１３の端末特定情報やＵＲＬ、それら利用者端末１４の端末特定情報やＵＲＬが記憶されている。さらに、利用者端末１４を使用する利用者の利用者情報、アドバイザー端末１３を使用するアドバイザーの入札情報およびアドバイザー情報が記憶されている。
【００３８】
それらノートパソコン１３Ａ，１４Ａ、スマートフォン１３Ｂ，１４Ｂ、タブレット１３Ｃ，１４Ｃは、それぞれ機種が異なるとともに、それらを提供・販売するキャリア（メーカー）が異なる。ノートパソコン１３Ａ，１４Ａは、中央処理部（ＣＰＵまたはＭＰＵ）とメインメモリおよびキャッシュメモリとを有するとともに、大容量ハードディスクを内蔵し、独立したオペレーティングシステム（ＯＳ）によって動作する。スマートフォン１３Ｂ，１４Ｂやタブレット１３Ｃ，１４Ｃは、中央処理部（ＣＰＵまたはＭＰＵ）とメインメモリおよびキャッシュメモリとを有して独立したオペレーティングシステム（ＯＳ）によって動作する物理的なコンピュータを内蔵し、半導体メモリを実装している。
【００３９】
ノートパソコン１３Ａ，１４Ａのハードディスクには、ウェブブラウザおよび管理サーバ１２のＵＲＬが記憶されている。スマートフォン１３Ｂ，１４Ｂやタブレット１３Ｃ，１４Ｃのメモリには、ウェブブラウザが記憶されている。スマートフォン１３Ｂ，１４Ｂやタブレット１３Ｃ，１４Ｃの半導体メモリには、管理サーバ１２のＵＲＬが記憶されている。ノートパソコン１３Ａ，１４Ａやスマートフォン１３Ｂ，１４Ｂ、タブレット１３Ｃ，１４Ｃは、ウェブブラウザを利用してインターネット１１に接続可能である。
【００４０】
ノートパソコン１３Ａ，１４Ａやスマートフォン１３Ｂ，１４Ｂ、タブレット１３Ｃ，１４Ｃは、インターネット１１を利用して不特定多数のサーバ（物理サーバや仮想サーバ）にアクセスかつログインすることができ、インターネット１１を利用して不特定多数のパソコンやスマートフォン、タブレット、携帯電話等にアクセスすることができるとともに、インターネット１１において各種の検索エンジンを利用することができる。ノートパソコン１３Ａ，１４Ａやスマートフォン１３Ｂ，１４Ｂ、タブレット１３Ｃ，１４Ｃは、インターネット１１を利用して各種複数のデータを不特定多数のサーバやパソコン、スマートフォン、タブレット、携帯電話等から受信することができるとともに各種複数のデータを送信することができる。
【００４１】
ノートパソコン１３Ａ，１４Ａやスマートフォン１３Ｂ，１４Ｂ、タブレット１３Ｃ，１４Ｃのハードディスクや半導体メモリには、それらを特定する端末特定情報が記憶されている。端末特定情報としては、ノートパソコン１３Ａ，１４Ａやスマートフォン１３Ｂ，１４Ｂ、タブレット１３Ｃ，１４ＣのＩＰアドレス、ＭＡＣアドレス、ＵＲＬ、メールアドレス、Ｃｏｏｋｉｅ情報、固体識別番号等を利用することができる他、ノートパソコン１３Ａ，１４Ａやスマートフォン１３Ｂ，１４Ｂ、タブレット１３Ｃ，１４Ｃがそれらを識別するユニークな識別番号を独自に生成し、生成した識別番号を端末特定情報とすることができる。
【００４２】
利用者端末１４を形成するノートパソコン１４Ａやスマートフォン１４Ｂ、タブレット１４Ｃのハードディスクや半導体メモリには、それらを使用する権限を有する利用者の利用者情報が記憶されている。利用者情報には、利用者の名前、利用者の住所、電話番号およびＦＡＸ番号、メールアドレス、利用者の写真、利用者のスリーサイズ、利用者の性別、利用者の年齢、利用者の嗜好がある。アドバイザー端末１３を形成するノートパソコン１３Ａやスマートフォン１３Ｂ、タブレット１３Ｃのハードディスクや半導体メモリには、それらを使用する権限を有するアドバイザーの入札情報とアドバイザー情報とが記憶されている。入札情報には、アドバイス金額、アドバイス期間、アドバイス地域、アドバイス方法がある。アドバイザー情報には、アドバイザーの名前、アドバイザーの住所、電話番号およびＦＡＸ番号、メールアドレス、アドバイザーの過去の実績、アドバイザーの服飾専門分野、アドバイザーの写真、アドバイザーの性別、アドバイザーの年齢、アドバイザーの嗜好がある。
【００４３】
ノートパソコン１３Ａ，１４Ａやスマートフォン１３Ｂ，１４Ｂ、タブレット１３Ｃ，１４Ｃのメモリや半導体メモリには、管理サーバ１２から提供された服飾アドバイスアプリケーションがインストールされている。なお、ノートパソコン１３Ａ，１４Ａやスマートフォン１３Ｂ，１４Ｂ、タブレット１３Ｃ，１４Ｃに服飾アドバイスアプリケーションがインストールされていない場合、インターネット１１を介して管理サーバ１２から服飾アドバイスアプリケーションがそれらにダウンロードされ、服飾アドバイスアプリケーションがそれらにインストールされる。
【００４４】
管理サーバ１２の中央処理装置は、オペレーティングシステムによる制御に基づいて、メモリに記憶された服飾アドバイスアプリケーションを起動し、起動した服飾アドバイスアプリケーションに従って以下の各手段を実行する。管理サーバ１２の中央処理装置は、それら利用者の各種複数の利用者情報を記憶する利用者情報記憶手段を実行する。管理サーバ１２の中央処理装置は、それらアドバイザーの各種複数のアドバイザー情報を記憶するアドバイザー情報記憶手段を実行し、それらアドバイザーの入札情報を記憶する入札情報記憶手段を実行する。
【００４５】
管理サーバ１２の中央処理装置は、それら利用者情報を各アドバイザー端末１３（ノートパソコン１３Ａ、スマートフォン１３Ｂ、タブレット１３Ｃ）に開示する利用者情報開示手段を実行し、アドバイザーのアドバイザー情報を各利用者端末１４（ノートパソコン１４Ａ、スマートフォン１４Ｂ、タブレット１４Ｃ）に開示するアドバイザー情報開示手段を実行するとともに、アドバイザーの入札情報を各利用者端末１４に開示する入札情報開示手段を実行する。管理サーバ１２の中央処理装置は、登録済みの登録アドバイザー端末１３と登録済みの登録利用者端末１４とをそれら端末１３，１４の端末特定情報に関連付けた状態で記憶する端末記憶手段を実行する。
【００４６】
登録アドバイザー端末１３（ノートパソコン１３Ａ、スマートフォン１３Ｂ、タブレット１３Ｃ）の中央処理部は、オペレーティングシステムによる制御に基づいて、メインメモリに記憶された服飾アドバイスアプリケーションを起動し、起動した服飾アドバイスアプリケーションに従って以下の各手段を実行する。登録アドバイザー端末１３の中央処理部は、インターネット１１上に存在する各種複数のポータルサイトに掲載された各種複数の服飾データの中から登録利用者端末１４の利用者用の各種複数の服飾データを選択する服飾データ選択手段を実行する。
【００４７】
登録アドバイザー端末１３の中央処理部は、服飾品データ選択手段によって選択したそれら服飾データを管理サーバ１２を介して（管理サーバ１２を経由して）登録利用者端末１３に送信する服飾データ送信手段を実行し、服飾データ選択手段によって選択したそれら服飾データの服飾の金額データを管理サーバ１２を介して登録利用者端末１４に送信する金額データ送信手段を実行する。登録アドバイザー端末１３の中央処理部は、服飾データ選択手段によって選択したそれら服飾データの服飾のブランドデータを管理サーバ１２を介して登録利用者端末１４に送信するブランドデータ送信手段を実行し、服飾データ選択手段によって選択したそれら服飾データの服飾のデザイナーデータを管理サーバ１２を介して登録利用者端末１４に送信するデザイナーデータ送信手段を実行する。
【００４８】
登録アドバイザー端末１３の中央処理部は、服飾データ選択手段によって選択したそれら服飾データの服飾を扱うショップデータを管理サーバ１２を介して登録利用者端末１４に送信するショップデータ送信手段を実行し、服飾データ選択手段によって選択したそれら服飾データの服飾を掲載する書籍データを管理サーバ１２を介して登録利用者端末１４に送信する書籍データ送信手段を実行する。登録アドバイザー端末１３の中央処理部は、服飾データ選択手段によって選択したそれら服飾データの服飾を着用したモデルデータを管理サーバ１２を介して登録利用者端末１４に送信するモデルデータ送信手段を実行する。
【００４９】
登録アドバイザー端末１３の中央処理部は、各種複数の服飾データを登録利用者端末の利用者用にコーディネーションして各種複数のコーディネーションデータを作成するコーディネーションデータ作成手段を実行し、コーディネーションデータ作成手段によって作成したそれらコーディネーションデータを管理サーバ１２を介して登録利用者端末１４に送信するコーディネーションデータ送信手段を実行する。コーディネーションデータ作成手段では、登録利用者端末１４から返信された服飾データや金額データ、ブランドデータ、デザイナーデータ、ショップデータ、書籍データ、モデルデータを参酌してコーディネーションデータを作成する。
【００５０】
登録利用者端末１４（ノートパソコン１４Ａ、スマートフォン１４Ｂ、タブレット１４Ｃ）の中央処理部は、オペレーティングシステムによる制御に基づいて、メインメモリに記憶された服飾アドバイスアプリケーションを起動し、起動した服飾アドバイスアプリケーションに従って以下の各手段を実行する。登録利用者端末１４の中央処理部は、服飾データ送信手段によって送信されたそれら服飾データの中から選択した所望の服飾データを管理サーバ１２を介して（管理サーバ１２を経由して）登録アドバイザー端末１３に返信する服飾データ返信手段を実行し、金額データ送信手段によって送信されたそれら金額データの中から選択した所望の金額データを管理サーバ１２を介して登録アドバイザー端末１３に返信する金額データ返信手段を実行する。
【００５１】
登録利用者端末１４の中央処理部は、ブランドデータ送信手段によって送信されたそれらブランドデータの中から選択した所望のブランドデータを管理サーバ１２を介して登録アドバイザー端末１３に返信するブランドデータ返信手段を実行し、デザイナーデータ送信手段によって送信されたそれらデザイナーデータの中から選択した所望のデザイナーデータを管理サーバ１２を介して登録アドバイザー端末１３に返信するデザイナーデータ返信手段を実行する。登録利用者端末１４の中央処理部は、ショップデータ送信手段によって送信されたそれらショップデータの中から選択した所望のショップデータを管理サーバ１２を介して登録アドバイザー端末１３に返信するショップデータ返信手段を実行する。
【００５２】
登録利用者端末１４の中央処理部は、書籍データ送信手段によって送信されたそれら書籍データの中から選択した所望の書籍データを管理サーバ１２を介して登録アドバイザー端末１３に返信する書籍データ返信手段を実行し、モデルデータ送信手段によって送信されたそれらモデルデータの中から選択した所望のモデルデータを管理サーバ１２を介して登録アドバイザー端末１３に返信するモデルデータ返信手段を実行する。登録利用者端末１１４の中央処理部は、コーディネーションデータ送信手段によって登録アドバイザー端末１３から送信されたコーディネーションデータを受信するコーディネーションデータ受信手段を実行する。
【００５３】
図２は、管理サーバ１２からアドバイザー端末１３や利用者端末１４への服飾アドバイスアプリケーションのインストールを説明する図である。服飾アドバイスシステム１０では、アドバイザー端末１３（ノートパソコン１３Ａ、スマートフォン１３Ｂ、タブレット１３Ｃ）や利用者端末１４（ノートパソコン１４Ａ、スマートフォン１４Ｂ、タブレット１４Ｃ）が管理サーバ１２から服飾アドバイスアプリケーションの提供を受ける場合、インターネット１１を介してサーバ１２からアドバイザー端末１３や利用者端末１４に服飾アドバイスアプリケーションがダウンロードされる。服飾アドバイスアプリケーションがアドバイザー端末１３や利用者端末１４にダウンロードされると、そのアドバイザーや利用者は服飾アドバイスアプリケーションを利用することができ、このシステム１０が提供するサービスを受けることができる。
【００５４】
服飾アドバイスシステム１０における服飾アドバイスアプリケーションのダウンロード手順の一例を説明すると、以下のとおりである。このシステム１０のサービスを受けようとするアドバイザーや利用者は、アドバイザー端末１３や利用者端末１４のディスプレイ１５やマルチタッチパネル１６に表示されたウェブブラウザのアイコンをクリックし、インターネット１１に接続する。アドバイザー端末１３や利用者端末１４がインターネット１１に接続すると、図示はしていないが、管理サーバ１２のＷｅｂページ（ポータルサイト）にジャンプ（管理サーバ１２へログイン）するリンク、管理サーバ１２以外の各ショップ（ポータルサイト）や各Ｗｅｂページ（ポータルサイト）にジャンプ（ショップや他のホームページへログイン）する各種複数のリンクがディスプレイ１５やマルチタッチパネル１６に表示される。なお、管理サーバ１２へのリンクが表示されない場合、検索エンジンを使用して管理サーバ１２へのリンクを検索する。
【００５５】
管理サーバ１２へのリンクをクリックすると、インターネット１１を介してアドバイザー端末１３や利用者端末１４が管理サーバ１２にログインする。アドバイザー端末１３や利用者端末１４が管理サーバ１２にログインした場合、アドバイザー端末１３や利用者端末１４のディスプレイ１５やマルチタッチパネル１６には、管理サーバ１２のＷｅｂページとともに、服飾アドバイスアプリケーションのダウンロードアイコンが表示される。
【００５６】
アドバイザーや利用者が服飾アドバイスアプリケーションのダウンロードアイコンをクリックすると、アドバイザー端末１３や利用者端末１４の中央処理部は、服飾アドバイスアプリケーションがそれら端末１３，１４のメモリに既に記憶されているかを判断し、服飾アドバイスアプリケーションがメモリに記憶されていない場合、ダウンロード作業を継続するかをディスプレイ１５やマルチタッチパネル１６に表示する。アドバイザーや利用者がダウンロード作業の継続を選択すると、アドバイザー端末１３や利用者端末１４の中央処理部は、管理サーバ１２に対して服飾アドバイスアプリケーションのダウンロードを要求する。
【００５７】
管理サーバ１２は、アドバイザー端末１３や利用者端末１４から服飾アドバイスアプリケーションのダウンロード要求があった場合、インターネット１１を介して服飾アドバイスアプリケーションをアドバイザー端末１３や利用者端末１４にダウンロードする。服飾アドバイスアプリケーションがダウンロードされると、アドバイザー端末１３や利用者端末１４の中央処理部は、その服飾アドバイスアプリケーションをメインメモリにインストールする。
【００５８】
図３は、利用者端末１４から管理サーバ１２への利用者情報の送信を説明する図であり、図４は、利用者端末１４に表示された服飾アドバイスシステム１０の初期画面の一例を示す図である。図５は、利用者情報送信画面の一例を示す図である。なお、それら利用者端末１４（ノートパソコン１４Ａ、スマートフォン１４Ｂ、タブレット１４Ｃ）には、服飾アドバイスアプリケーションがインストールされているとともに、利用者情報が記憶されているものとする。
【００５９】
このシステム１０のサービスを受けようとする利用者は、利用者端末１４から管理サーバ１２へ利用者情報を送信する。利用者端末１４がインターネット１１を介して管理サーバ１２へログインすると、利用者端末１４のディスプレイ１５やマルチタッチパネル１６にシステム１０の初期画面（メインメニュー画面）が表示される。
【００６０】
利用者端末１４に表示された初期画面には、アドバイザー募集ボタン４ａ、利用者情報送信ボタン４ｂ、利用者情報表示ボタン４ｃ、アドバイザー名一覧表示ボタン４ｄ、データ返信ボタン４ｅ、コーディネーションデータ表示ボタン４ｆ、キャンセルボタン４ｇが表示される。キャンセルボタン４ｇをクリックすると、利用者端末１４がシステム１０からログアウトする。
【００６１】
利用者情報が利用者端末１４に記憶されていない場合、利用者情報送信ボタン４ｂまたは利用者情報表示ボタン４ｃをクリックすると、図示はしていないが、利用者端末１４に利用者情報入力画面が表示される。利用者情報入力画面には、名前入力エリア、住所入力エリア、電話番号入力エリア、ＦＡＸ番号入力エリア、メールアドレス入力エリア、写真入力エリア、スリーサイズ入力エリア、性別入力エリア、年齢入力エリア、嗜好入力エリア、希望金額入力エリア、希望期間入力エリア、希望地域入力エリア、希望方法入力エリア、キャンセルボタン、クリアボタン、保存ボタンが表示される。
【００６２】
キャンセルボタンをクリックすると、初期画面に戻り、クリアボタンをクリックすると、各入力エリアに入力された各利用者情報が消去され、入力エリアに利用者情報を再入力する。各入力エリアに各利用者情報を入力した後（すべてを入力することなく、利用者が開示を希望する情報のみを入力する場合もある）、利用者が保存ボタンをクリックすると、それら利用者情報が利用者端末１４の端末特定情報に関連付けられた状態でハードディスクや半導体メモリに記憶される。それら利用者情報を記憶した後、図４の初期画面に戻る。
【００６３】
利用者情報を送信する場合、利用者情報送信ボタン４ｂをクリックする。利用者情報送信ボタン４ｂをクリックすると、利用者端末１４に利用者情報送信画面が表示される。利用者情報送信画面には、図５に示すように、利用者情報が表示された利用者情報表示エリア５ａ、送信ボタン５ｂ、利用者情報の変更ボタン５ｃ、戻るボタン５ｄが表示される。戻るボタン５ｄをクリックすると、図４の初期画面に戻る。利用者情報表示エリア５ａには、利用者の名前や住所、電話番号、ＦＡＸ番号、メールアドレス、写真、スリーサイズ、性別、年齢、嗜好、希望金額、希望期間、希望地域、希望方法が表示される。なお、利用者が開示を希望する情報のみを入力した場合は、入力した情報のみが表示エリア５ａに表示される。
【００６４】
利用者情報表示エリア５ａに表示された各利用者情報を変更するには、変更ボタン５ｃをクリックする。変更ボタン５ｃをクリックすると、図示はしていないが、利用者端末１４に利用者情報変更画面が表示される。利用者情報変更画面には、名前変更エリア、住所変更エリア、電話番号変更エリア、ＦＡＸ番号変更エリア、メールアドレス変更エリア、写真変更エリア、スリーサイズ変更エリア、性別変更エリア、年齢変更エリア、嗜好変更エリア、希望金額変更エリア、希望期間変更エリア、希望地域変更エリア、希望方法変更エリア、キャンセルボタン、クリアボタン、保存ボタンが表示される。
【００６５】
キャンセルボタンをクリックすると、図５の利用者情報送信画面に戻り、クリアボタンをクリックすると、各変更エリアに入力された各利用者情報が消去され、変更エリアに利用者情報を再入力する。各変更エリアに変更後の利用者情報を入力した後、利用者が保存ボタンをクリックすると、変更後の利用者情報が端末特定情報に関連付けられた状態でハードディスクや半導体メモリに記憶される。変更後の利用者情報を記憶した後、図４の初期画面に戻る。
【００６６】
利用者情報に変更がなく、利用者情報を送信するには、利用者情報送信画面の送信ボタン５ｂをクリックする。送信ボタン５ｂをクリックすると、インターネット１１を介して利用者情報および利用者端末１４（ノートパソコン１４Ａ、スマートフォン１４Ｂ、タブレット１４Ｃ）の端末特定情報が利用者端末１４から管理サーバ１２に送信される（利用者情報送信手段）。管理サーバ１２は、利用者端末１４から利用者情報が送信されると、利用者情報送信の年月日（時間を含む）とともにそれら利用者情報を利用者端末１４の端末特定情報に関連付けた状態でハードディスクに記憶する（利用者情報記憶手段）。
【００６７】
図６は、アドバイザー端末１３から管理サーバ１２へのアドバイザー情報の送信を説明する図であり、図７は、アドバイザー端末１３に表示された服飾アドバイスシステム１０の初期画面の一例を示す図である。図８は、アドバイザー情報送信画面の一例を示す図であり、図９は、入札情報送信画面の一例を示す図である。なお、それらアドバイザー端末１３（ノートパソコン１３Ａ、スマートフォン１３Ｂ、タブレット１３Ｃ）には、服飾アドバイスアプリケーションがインストールされているとともに、アドバイザー情報および入札情報が記憶されているものとする。
【００６８】
このシステム１０のサービスを受けようとするアドバイザーは、アドバイザー端末１３から管理サーバ１２へアドバイザー情報および入札情報を送信する。アドバイザー端末１３がインターネット１１を介して管理サーバ１２へログインすると、アドバイザー端末１３のディスプレイ１５やマルチタッチパネル１６にシステム１０の初期画面（メインメニュー画面）が表示される。
【００６９】
アドバイザー端末１３に表示された初期画面には、図７に示すように、入札応募ボタン７ａ、アドバイザー情報送信ボタン７ｂ、入札情報送信ボタン７ｃ、アドバイザー情報表示ボタン７ｄ、入札情報表示ボタン７ｅ、利用者名一覧表示ボタン７ｆ、データ送信ボタン７ｇ、キャンセルボタン７ｈが表示される。キャンセルボタン７ｈをクリックすると、アドバイザー端末１３がシステム１０からログアウトする。
【００７０】
アドバイザー情報がアドバイザー端末１３に記憶されていない場合、アドバイザー情報送信ボタン７ｂまたはアドバイザー情報表示ボタン７ｄをクリックすると、図示はしていないが、アドバイザー端末１３にアドバイザー情報入力画面が表示される。アドバイザー情報入力画面には、名前入力エリア、住所入力エリア、電話番号入力エリア、ＦＡＸ番号入力エリア、メールアドレス入力エリア、実績入力エリア、専門分野入力エリア、写真入力エリア、性別入力エリア、年齢入力エリア、嗜好入力エリア、キャンセルボタン、クリアボタン、保存ボタンが表示される。
【００７１】
キャンセルボタンをクリックすると、初期画面に戻り、クリアボタンをクリックすると、各入力エリアに入力された各アドバイザー情報が消去され、入力エリアにアドバイザー情報を再入力する。各入力エリアに各アドバイザー情報を入力した後、アドバイザーが保存ボタンをクリックすると、それらアドバイザー情報が端末特定情報に関連付けられた状態でハードディスクや半導体メモリに記憶される。それらアドバイザー情報を記憶した後、図７の初期画面に戻る。
【００７２】
アドバイザー情報を送信する場合、アドバイザー情報送信ボタン７ｂをクリックする。アドバイザー情報送信ボタン７ｂをクリックすると、アドバイザー端末１３にアドバイザー情報送信画面が表示される。アドバイザー情報送信画面には、図８に示すように、アドバイザー情報が表示されたアドバイザー情報表示エリア８ａ、送信ボタン８ｂ、アドバイザー情報の変更ボタン８ｃ、戻るボタン８ｄが表示される。戻るボタン８ｄをクリックすると、初期画面に戻る。アドバイザー情報表示エリア８ａには、アドバイザーの名前や住所、電話番号、ＦＡＸ番号、メールアドレス、実績、専門分野、写真、性別、年齢、嗜好が表示される。
【００７３】
アドバイザー情報表示エリア８ａに表示された各アドバイザー情報を変更するには、変更ボタン８ｃをクリックする。変更ボタン８ｃをクリックすると、図示はしていないが、アドバイザー端末１３にアドバイザー情報変更画面が表示される。アドバイザー情報変更画面には、名前変更エリア、住所変更エリア、電話番号変更エリア、ＦＡＸ番号変更エリア、メールアドレス変更エリア、実績変更エリア、専門分野変更エリア、写真変更エリア、性別変更エリア、年齢変更エリア、嗜好変更エリア、キャンセルボタン、クリアボタン、保存ボタンが表示される。
【００７４】
キャンセルボタンをクリックすると、アドバイザー情報送信画面に戻り、クリアボタンをクリックすると、各変更エリアに入力された各アドバイザー情報が消去され、変更エリアにアドバイザー情報を再入力する。各変更エリアに変更後のアドバイザー情報を入力した後、アドバイザーが保存ボタンをクリックすると、変更後のアドバイザー情報が端末特定情報に関連付けられた状態でハードディスクや半導体メモリに記憶される。変更後のアドバイザー情報を記憶した後、図７の初期画面に戻る。
【００７５】
アドバイザー情報に変更がなく、アドバイザー情報を送信するには、アドバイザー情報送信画面の送信ボタン８ｂをクリックする。送信ボタン８ｂをクリックすると、インターネット１１を介してアドバイザー情報およびアドバイザー端末１３（ノートパソコン１３Ａ、スマートフォン１３Ｂ、タブレット１３Ｃ）の端末特定情報がアドバイザー端末１３から管理サーバ１２に送信される（アドバイザー情報送信手段）。管理サーバ１２は、アドバイザー端末１３からアドバイザー情報が送信されると、アドバイザー情報送信の年月日とともにそれらアドバイザー情報をアドバイザー端末１３の端末特定情報に関連付けた状態でハードディスクに記憶する（アドバイザー情報記憶手段）。
【００７６】
入札情報がアドバイザー端末１３に記憶されていない場合、入札情報送信ボタン７ｃまたは入札情報表示ボタン７ｅをクリックすると、図示はしていないが、アドバイザー端末１３に入札情報入力画面が表示される。入札情報入力画面には、アドバイス金額入力エリア、アドバイス期間入力エリア、アドバイス地域入力エリア、アドバイス方法入力エリア、キャンセルボタン、クリアボタン、保存ボタンが表示される。
【００７７】
キャンセルボタンをクリックすると、初期画面に戻り、クリアボタンをクリックすると、各入力エリアに入力された各入札情報が消去され、入力エリアに入札情報を再入力する。各入力エリアに各入札情報を入力した後、アドバイザーが保存ボタンをクリックすると、それら入札情報が端末特定情報に関連付けられた状態でハードディスクや半導体メモリに記憶される。それら入札情報を記憶した後、図７の初期画面に戻る。
【００７８】
入札情報を送信する場合、入札情報送信ボタン７ｃをクリックする。入札情報送信ボタン７ｃをクリックすると、アドバイザー端末１３に入札情報送信画面が表示される。入札情報送信画面には、図９に示すように、入札情報が表示された入札情報表示エリア９ａ、送信ボタン９ｂ、入札情報の変更ボタン９ｃ、戻るボタン９ｄが表示される。戻るボタン９ｄをクリックすると、初期画面に戻る。入札情報表示エリア９ａには、アドバイザーの名前や住所、電話番号、ＦＡＸ番号、メールアドレス、アドバイス金額、アドバイス期間、アドバイス地域、アドバイス方法が表示される。
【００７９】
入札情報表示エリア９ａに表示された各入札情報を変更するには、変更ボタン９ｃをクリックする。変更ボタン９ｃをクリックすると、図示はしていないが、アドバイザー端末１３に入札情報変更画面が表示される。入札情報変更画面には、金額変更エリア、期間変更エリア、地域変更エリア、方法変更エリア、キャンセルボタン、クリアボタン、保存ボタンが表示される。
【００８０】
キャンセルボタンをクリックすると、入札情報送信画面に戻り、クリアボタンをクリックすると、各変更エリアに入力された各入札情報が消去され、変更エリアに入札情報を再入力する。各変更エリアに変更後の入札情報を入力した後、アドバイザーが保存ボタンをクリックすると、変更後の入札情報が端末特定情報に関連付けられた状態でハードディスクや半導体メモリに記憶される。変更後の入札情報を記憶した後、図７の初期画面に戻る。
【００８１】
入札情報に変更がなく、入札情報を送信するには、入札情報送信画面の送信ボタン９ｂをクリックする。送信ボタン９ｂをクリックすると、インターネット１１を介して入札情報およびアドバイザー端末１３（ノートパソコン１３Ａ、スマートフォン１３Ｂ、タブレット１３Ｃ）の端末特定情報がアドバイザー端末１３から管理サーバ１２に送信される（入札情報送信手段）。管理サーバ１２は、アドバイザー端末１３から入札情報が送信されると、入札情報送信の年月日とともにそれら入札情報をアドバイザー端末１３の端末特定情報に関連付けた状態でハードディスクに記憶する（入札情報記憶手段）。
【００８２】
図１０は、システム１０における入札手順を説明する図であり、図１１は、入札応募確認画面の一例を示す図である。図１２は、利用者情報開示画面の一例を示す図であり、図１３は、アドバイザー募集確認画面の一例を示す図である。図１４は、アドバイザー・入札情報開示画面の一例を示す図である。アドバイザーが入札を希望する場合は、アドバイザー端末１３がインターネット１１を介して管理サーバ１２へログインした後、アドバイザー端末１３に表示された初期画面の入札応募ボタン７ａをクリックする。
【００８３】
入札応募ボタン７ａをクリックすると、利用者表示コマンドとともにアドバイザー端末１３の端末特定情報が管理サーバ１２に送信される。管理サーバ１２は、利用者表示コマンドおよびアドバイザー端末１３の端末特定情報を受信すると、利用者情報をハードディスクから抽出し、抽出した利用者情報をアドバイザー端末１３に送信する。アドバイザー端末１３のディスプレイ１５やマルチタッチパネル１６には、入札応募確認画面が表示される。
【００８４】
入札応募確認画面には、図１１に示すように、利用者名一覧表示エリア１１ａ、絞り込み検索エリア１１ｂ、決定ボタン１１ｃ、戻るボタン１１ｄ、キャンセルボタン１１ｅが表示される。利用者名一覧表示エリア１１ａには、管理サーバ１２に記憶された利用者名の一覧、情報表示ボタン１１ｆが表示される。絞り込み検索エリア１１ｂには、金額入力エリア、期間入力エリア、地域入力エリア、方法入力エリア、実行ボタン１１ｇが表示される。戻るボタン１１ｄをクリックすると、図７の初期画面に戻り、キャンセルボタン１１ｅをクリックすると、アドバイザー端末１３がシステム１０からログアウトする。
【００８５】
絞り込み検索を行うには、それら入力エリアのうちの少なくとも１つのエリアに検索条件を入力し、実行ボタン１１ｇをクリックする。実行ボタン１１ｇをクリックすると、検索条件がアドバイザー端末１３から管理サーバ１２に送信される。管理サーバ１２は、利用者情報のうちの希望金額や希望期間、希望地域、希望方法と送信された検索条件とを比較し、検索条件に合致する利用者情報をハードディスクから抽出され、抽出した利用者情報をアドバイザー端末１３に送信する。アドバイザー端末１３の入札応募確認画面の利用者名一覧表示エリア１１ａには、絞り込まれた利用者の一覧が表示される。
【００８６】
入札応募確認画面の利用者名一覧表示エリア１１ａにおいて利用者名を反転させて利用者を選出し（複数選出可能）、情報表示ボタン１１ｆをクリックすると、管理サーバ１２は、反転された利用者名の利用者情報をハードディスクから抽出した後、その利用者情報をアドバイザー端末１３に送信し、利用者情報をアドバイザー端末１３に開示する（利用者情報開示手段）。
【００８７】
アドバイザー端末１３のディスプレイ１５やマルチタッチパネル１６には、利用者情報開示画面が表示される。利用者情報開示画面には、図１２に示すように、選択した利用者の利用者情報（名前、住所、電話番号、ＦＡＸ番号、メールアドレス、写真、スリーサイズ、性別、年齢、嗜好、希望金額、希望期間、希望地域、希望方法）が表示された利用者情報表示エリア１２ａ、決定ボタン１２ｂ、入札応募画面ボタン１２ｃが表示される。入札応募画面ボタン１２ｃをクリックすると、アドバイザー端末１３に図１１の入札応募確認画面が表示される。
【００８８】
アドバイザーが利用者を選出する場合、図１１の入札応募確認画面の利用者名一覧表示エリア１１ａにおいて所望の利用者名を反転させた後（所望の利用者を選出した後）、または、図１２の利用者情報開示画面を表示させた後（所望の利用者を選出した後）、その利用者を正式に選出するには決定ボタン１１ｃ，１２ｂをクリックする。決定ボタン１１ｃ，１２ｂをクリックすると、入札応募コマンドとともに決定された利用者の利用者情報およびアドバイザー端末１３の端末特定情報が管理サーバ１２に送信される。各アドバイザーは、開示された利用者情報に基づいて所望の利用者を選出することができる。
【００８９】
管理サーバ１２は、入札応募コマンドや選出された利用者の利用者情報、アドバイザー端末１３の端末特定情報を受信すると（利用者情報開示手段によって開示された利用者情報に基づいてそれらアドバイザーが所望の利用者を選出した場合）、端末特定情報に対応するアドバイザー情報および入札情報をハードディスクから抽出するとともに、選出された利用者の利用者端末１４に抽出したアドバイザー情報および入札情報とアドバイザー端末１３の端末特定情報とを送信する。利用者端末１４は、送信年月日（時間を含む）とともに管理サーバ１２から送信されたアドバイザー情報および入札情報をアドバイザー端末１３および利用者端末１４の端末特定情報に関連付けた状態でハードディスクまたは半導体メモリに記憶する。
【００９０】
利用者端末１４の初期画面においてアドバイザー募集ボタン４ａをクリックすると、利用者端末１４のディスプレイ１５やマルチタッチパネル１６には、アドバイザー募集確認画面が表示される。アドバイザー募集確認画面には、図１３に示すように、アドバイザー名一覧表示エリア１３ａ、絞り込み検索エリア１３ｂ、決定ボタン１３ｃ、戻るボタン１３ｄ、キャンセルボタン１３ｅが表示される。アドバイザー名一覧表示エリア１３ａには、管理サーバ１２に記憶されたアドバイザー名の一覧、情報表示ボタン１３ｆが表示される。戻るボタン１３ｄをクリックすると、図４の初期画面に戻り、キャンセルボタン１３ｅをクリックすると、利用者端末１４がシステム１０からログアウトする。
【００９１】
絞り込み検索エリア１３ｂには、金額入力エリア、期間入力エリア、地域入力エリア、方法入力エリア、実行ボタン１３ｇが表示される。絞り込み検索を行うには、それら入力エリアのうちの少なくとも１つのエリアに検索条件を入力し、実行ボタン１３ｇをクリックする。実行ボタン１３ｇをクリックすると、検索条件が利用者端末１４から管理サーバ１２に送信される。管理サーバ１２は、アドバイザー情報のうちの金額や期間、地域、方法と送信された検索条件とを比較し、検索条件に合致するアドバイザー情報をハードディスクから抽出され、抽出したアドバイザー情報を利用者端末１４に送信する。利用者端末１４のアドバイザー募集確認画面のアドバイザー名一覧表示エリア１３ａには、絞り込まれたアドバイザーの一覧が表示される。
【００９２】
アドバイザー募集確認画面のアドバイザー名一覧表示エリア１３ａにおいてアドバイザー名を反転させてアドバイザーを選出し（複数選出可能）、情報表示ボタン１３ｆをクリックすると、管理サーバ１２は、反転されたアドバイザー名のアドバイザー情報および入札情報をハードディスクから抽出した後、そのアドバイザー情報やその入札情報を利用者端末１４に送信し、アドバイザー情報や入札情報を利用者端末１４に開示する（アドバイザー情報開示手段、入札情報開示手段）。
【００９３】
利用者端末１３のディスプレイ１５やマルチタッチパネル１６には、アドバイザー・入札情報開示画面が表示される。アドバイザー・入札情報開示画面には、図１４に示すように、選択したアドバイザーのアドバイザー情報（名前、住所、電話番号、ＦＡＸ番号、メールアドレス、実績、専門分野、写真、性別、年齢、嗜好、アドバイス金額、アドバイス期間、アドバイス地域、アドバイス方法）が表示されたアドバイザー・入札情報表示エリア１４ａ、決定ボタン１４ｂ、アドバイザー募集画面ボタン１４ｃが表示される。アドバイザー募集画面ボタン１４ｃをクリックすると、利用者端末１４に図１３のアドバイザー募集確認画面が表示される。
【００９４】
利用者がアドバイザーを選出する場合、図１３のアドバイザー募集確認画面のアドバイザー名一覧表示エリア１３ａにおいて所望のアドバイザー名を反転させた後（所望のアドバイザーを選出した後）、または、図１４のアドバイザー・入札情報開示画面を表示させた後（所望のアドバイザーを選出した後）、そのアドバイザーを正式に選出するには決定ボタン１３ｃ，１４ｂをクリックする。決定ボタン１３ｃ，１４ｂをクリックすると、アドバイザー募集コマンドとともに決定されたアドバイザーのアドバイザー情報および利用者端末１４の端末特定情報が管理サーバ１２に送信される。各利用者は、開示されたアドバイザー情報や入札情報に基づいて所望のアドバイザーを選出することができる。
【００９５】
管理サーバ１２は、アドバイザー募集コマンドやアドバイザー情報、利用者端末１４の端末特定情報が送信された場合（アドバイザー情報開示手段によって開示されたアドバイザー情報や入札情報開示手段によって開示された入札情報に基づいてそれら利用者が所望のアドバイザーを選出した場合）、利用者から選出されたアドバイザーのアドバイザー端末１３を登録アドバイザー端末１３とし、そのアドバイザー端末１３に登録アドバイザー端末マークを付与するとともに、アドバイザーを選出した利用者の利用者端末１４を登録利用者端末１４とし、その利用者端末１４に登録利用者端末マークを付与する。
【００９６】
管理サーバ１２は、登録年月日とともに登録アドバイザー端末１３の端末特定情報を登録利用者端末１４の端末特定情報に関連付けた状態でハードディスクに記憶し（端末記憶手段）、登録年月日とともに登録利用者端末１４の端末特定情報を登録アドバイザー端末１３の端末特定情報に関連付けた状態でハードディスクに記憶する（端末記憶手段）。登録アドバイザー端末１３のアドバイザーと登録利用者端末１４の利用者との間には、アドバイザー契約が成立する。
【００９７】
図１５は、服飾データおよびその他の各種データの送信を示す図であり、図１６は、利用者名一覧画面の一例を示す図である。図１７は、服飾データ選択画面の一例を示す図であり、図１８は、服飾データの詳細表示の一例を示す図である。図１７の服飾データ選択画面では、各種複数の服飾データが作られているものとする。登録利用者端末１４の利用者は、登録アドバイザー端末１３のアドバイザーからアドバイス期間の間に服飾に関するアドバイスを受ける。登録アドバイザー端末１３のアドバイザーは、登録利用者端末１４の利用者の利用者情報を参酌し、その利用者に似合う服飾（衣服、履物、被り物、装身具等）を選択し、それら服飾を利用者に似合うようにコーディネーションする。
【００９８】
アドバイザーは、登録アドバイザー端末１３に表示された図７の初期画面のデータ送信ボタン７ｈをクリックする。データ送信ボタン７ｈをクリックすると、管理サーバ１２が登録アドバイザー端末１３にそのアドバイザーと契約している登録利用者端末１４の利用者の利用者名一覧を含む利用者情報を送信する。登録アドバイザー端末１３のディスプレイ１５やマルチタッチパネル１６には、利用者名一覧画面が表示される。
【００９９】
利用者名一覧画面には、図１６に示すように、アドバイザーと契約関係にある利用者の名前が表示された利用者名表示エリア１６ａ、決定ボタン１６ｂ、コーディネーションデータ作成ボタン１６ｃ、コーディネーションデータ送信ボタン１６ｄ、戻るボタン１６ｅ、キャンセルボタン１６ｆが表示される。利用者名表示エリア１６ａには、チェックボックス１６ｇが表示される。戻るボタン１６ｅをクリックすると、図７の初期画面に戻る。キャンセルボタン１６ｆをクリックすると、登録アドバイザー端末１３がこのシステム１０からログアウトする。なお、アドバイザーと契約関係にある利用者が複数の場合は、利用者名一覧画面の利用者名表示エリア１６ａに複数の利用者が表示され、契約関係にある利用者が１人の場合は、利用者名一覧画面の利用者名表示エリア１６ａに１人の利用者が表示される。
【０１００】
利用者名一覧画面では、登録利用者端末１４から服飾データやその他の各種データが返信されている場合は、チェックボックス１６ｇに（←）マークが表示され、登録利用者端末１４へ服飾データやその他の各種データが送信されている場合であってそれらデータが返信されていない場合は、チェックボックス１６ｅに（→）マークが表示される。また、登録利用者端末１４に１回目のコーディネーションデータが送信されている場合は、チェックボックス１６ｇに（１）マークが表示され、登録利用者端末１４に２回目のコーディネーションデータが送信されている場合は、チェックボックス１６ｇに（２）マークが表示されるとともに、登録利用者端末１４に３回目のコーディネーションデータが送信されている場合は、チェックボックス１６ｇに（３）マークが表示される。コーディネーションデータが４回以上の送信されている場合は、図示はしていないが、チェックボックス１６ｇに（４）〜（ｎ）が表示される。
【０１０１】
図１６の利用者名一覧画面において、利用者名表示エリア１６ａに表示された利用者名の中から特定の利用者名を反転（契約した利用者を選択）させ、決定ボタン１６ｂをクリックすると、特定した利用者に対応する服飾データ選択画面が登録アドバイザー端末１３に表示される。服飾データ選択画面には、図１７に示すように、特定した利用者の利用者情報を表示した利用者情報表示エリア１７ａ、各種複数のポータルサイトから取得した服飾データが表示された服飾データ表示エリア１７ｂ、送信ボタン１７ｃ、コーディネーションデータ作成ボタン１７ｄ、戻るボタン１７ｅ、キャンセルボタン１７ｆが表示される。戻るボタン１７ｅをクリックすると、図１６の利用者名一覧画面に戻り、キャンセルボタン１７ｆをクリックすると、アドバイザー端末１３がシステム１０からログアウトする。服飾データ表示エリア１７ｂには、取得した各種の服飾データの画像の他に、利用者名が表示されるとともに、すべて選択ボタン１７ｇが表示される。
【０１０２】
なお、服飾データ選択画面において各種の服飾データが取得されていない場合、服飾データ表示エリアに服飾データは表示されない。服飾データが取得されていない場合、アドバイザーは、図１７の服飾データ選択画面を登録アドバイザー端末１３のディスプレイ１５やマルチタッチパネル１６に表示させた状態で、インターネット上の各種リンクを利用してインターネット上に存在する各種複数のポータルサイトにアクセスし、それらポータルサイトに掲載された各種複数の服飾データの中から登録利用者端末１４の利用者に似合う各種複数の服飾データを取得する（服飾データ取得手段）。
【０１０３】
たとえば、登録アドバイザー端末１３をインターネット１１に接続し、インターネット上の各種リンクを利用して各種の服飾を掲載しているホームページにアクセスする。それらホームページに掲載された各種の服飾から利用者に似合うそれらを選択した後、選択した各服飾データを服飾データ選択画面の服飾データ表示エリア１７ｂに貼り付ける。登録アドバイザー端末１３は、選択した各服飾データを登録アドバイザー端末１３の端末識別情報に関連付けた状態でハードディスクや半導体メモリに保存する。選択した服飾の服飾データ表示エリア１７ｂへの貼り付け時には、服飾データの他に以下のその他の各種データを書き込む。登録アドバイザー端末１３は、それら各種データを登録アドバイザー端末１３の端末識別情報に関連付けた状態でハードディスクや半導体メモリに保存する。
【０１０４】
その他の各種データには、その服飾のサイズデータ、色データ、金額データ、ブランド名データ、その服飾をデザインしたデザイナー名データ、その服飾を展示するショップ名データ、その服飾を掲載したファッション雑誌名（書籍名）データ、その服飾を着用したファッションモデル名データ、その服飾をデザインしたデザイナーのホームページのＵＲＬ、その服飾を展示するショップのホームページのＵＲＬ、その服飾を掲載したファッション雑誌名（書籍名）のホームページのＵＲＬ、その服飾を着用したファッションモデルのホームページのＵＲＬがある。なお、その他のデータとしてそれら他のデータのすべてではなく、それら他のデータのうちの１つまたは２つ以上のデータをそれら他のデータとすることができる。
【０１０５】
図１７の服飾データ選択画面の服飾データ表示エリア１７ｂにおいて特定の服飾データ（画像）の上にカーソルを位置させると、その服飾データの詳細表示が登録アドバイザー端末１３のディスプレイ１５やマルチタッチパネル１６に表示される。その服飾データの詳細表示では、図１８に示すように、その服飾データの画像、その服飾のサイズ、色、金額、ブランド名、デザイナー名、ショップ名、ファッション雑誌名（書籍名）、ファッションモデル名、デザイナーのホームページのＵＲＬ、ショップのホームページのＵＲＬ、ファッション雑誌名（書籍名）のホームページのＵＲＬ、ファッションモデルのホームページのＵＲＬが表示される。アドバイザーは、図１８の詳細表示を見ることで、服飾データに付随する各種データの詳細を知ることができる。
【０１０６】
登録利用者端末１４の利用者に似合う各種複数の服飾データ（その他の各種データを含む）を取得した後、アドバイザーは、図１７の服飾データ選択画面の服飾データ表示エリア１７ｂにおいて利用者端末１４に送信する服飾データを反転させた後（送信する服飾データを選択した後、なお、すべて選択ボタン１７ｇをクリックすると服飾データ表示エリア１７ｂに表示されたすべての服飾データ（その他の各種データを含む）が選択される）、送信ボタン１７ｃをクリックする。送信ボタン１７ｃをクリックすると、図示はしていないが、送信確認画面が登録アドバイザー端末１３に表示される。
【０１０７】
送信確認画面には、選択した服飾データ（その他の各種データを含む）が表示されるとともに、送信実行ボタン、キャンセルボタンが表示される。キャンセルボタンをクリックすると、図１７の服飾データ選択画面に戻る。アドバイザーが送信確認画面において服飾データ（その他の各種データを含む）を確認した後、送信実行ボタンをクリックすると、選択した服飾データ（画像）が管理サーバ１２を介して（管理サーバ１２を経由して）登録アドバイザー端末１３から登録利用者端末１４に送信される（服飾データ送信手段）。
【０１０８】
服飾データの送信に伴って、選択したそれら服飾データの服飾の金額データ（その他の各種データ）が管理サーバ１２を介して登録アドバイザー端末１３から登録利用者端末１４に送信されるとともに（金額データ送信手段）、選択したそれら服飾データの服飾のブランドデータ（その他の各種データ）が管理サーバ１２を介して登録アドバイザー端末１３から登録利用者端末１４に送信される（ブランドデータ送信手段）。選択したそれら服飾データの服飾のデザイナーデータ（その他の各種データ）が管理サーバ１２を介して登録アドバイザー端末１３から登録利用者端末１４に送信されるとともに（デザイナーデータ送信手段）、選択したそれら服飾データの服飾を扱うショップデータ（その他の各種データ）が管理サーバ１２を介して登録アドバイザー端末１３から登録利用者端末１４に送信される（ショップデータ送信手段）。
【０１０９】
さらに、選択したそれら服飾データの服飾を掲載する書籍データ（その他の各種データ）が管理サーバ１２を介して登録アドバイザー端末１３から登録利用者端末１４に送信されるとともに（書籍データ送信手段）、それら服飾データの服飾を着用したモデルデータ（その他の各種データ）が管理サーバ１２を介して登録アドバイザー端末１３から登録利用者端末１４に送信される（モデルデータ送信手段）。管理サーバ１２を介してデザイナーのホームページのＵＲＬやショップのホームページのＵＲＬ、ファッション雑誌名（書籍名）のホームページのＵＲＬ、ファッションモデルのホームページのＵＲＬが登録アドバイザー端末１３から登録利用者端末１４に送信される（ＵＲＬ送信手段）。
【０１１０】
登録利用者端末１４は、管理サーバ１２を介して（管理サーバ１２を経由して）登録アドバイザー端末１３から送信された服飾データや金額データ、ブランドデータ、デザイナーデータ、ショップデータ、書籍データ、モデルデータ、各ＵＲＬを受信する。登録利用者端末１４は、受信年月日（時間を含む）とともにそれらデータを登録利用者端末１４の端末識別情報に関連付けた状態でハードディスクや半導体メモリに保存する。
【０１１１】
この実施の形態では、服飾データの他に、金額データやブランドデータ、デザイナーデータ、ショップデータ、書籍データ、モデルデータが送信されているが、少なくとも服飾データが送信されれば、他のデータの送信を省くこともできる。また、服飾データとともにそれら他のデータのすべてではなく、それら他のデータのうちの１つまたは２つ以上のデータが送信されてもよい。
【０１１２】
図１９は、服飾データおよびその他の各種データの返信を示す図であり、図２０は、アドバイザー名一覧画面の一例を示す図である。図２１は、服飾データ返信・表示画面の一例を示す図である。登録アドバイザー端末１３から服飾データやその他の各種データを受信した登録利用者端末１４の利用者またはアドバイザーから既にコーディネーションデータを何回か受け取っている利用者は、登録利用者端末１４に表示された図４の初期画面のデータ返信ボタン４ｅをクリックする。
【０１１３】
データ返信ボタン４ｅをクリックすると、管理サーバ１２が登録利用者端末１４にその利用者と契約しているアドバイザーのアドバイザー名一覧を含むアドバイザー情報を送信する。登録利用者端末１４のディスプレイ１５やマルチタッチパネル１６には、アドバイザー名一覧画面が表示される。アドバイザー名一覧画面には、図２０に示すように、利用者と契約関係にあるアドバイザーの名前が表示されたアドバイザー名表示エリア２０ａ、返信・表示決定ボタン２０ｂ、コーディネーションデータ表示ボタン２０ｃ、戻るボタン２０ｄ、キャンセルボタン２０ｅが表示される。アドバイザー名表示エリア２０ａには、チェックボックス２０ｆが表示される。
【０１１４】
戻るボタン２０ｄをクリックすると、図４の初期画面に戻る。キャンセルボタン２０ｅをクリックすると、登録利用者端末１４がこのシステム１０からログアウトする。利用者と契約関係にあるアドバイザーが複数の場合は、アドバイザー名一覧画面のアドバイザー名表示エリア１６ａに複数のアドバイザーが表示され、契約関係にあるアドバイザーが１人の場合は、アドバイザー名一覧画面のアドバイザー名表示エリア１６ａに１人のアドバイザーが表示される。
【０１１５】
アドバイザー名一覧画面では、登録アドバイザー端末１３から服飾データやその他の各種データが送信され、それらデータを未開封の場合は、チェックボックス２０ｆに（←）マークが表示され、登録アドバイザー端末１３へ服飾データやその他の各種データが返信されている場合は、チェックボックス２０ｆに（→）マークが表示される。また、登録アドバイザー端末１３から最初のコーディネーションデータが送信されている場合は、チェックボックス２０ｆに（１）マークが表示され、登録アドバイザー端末１３から２回目のコーディネーションデータが送信されている場合は、チェックボックス２０ｆに（２）マークが表示されるとともに、登録アドバイザー端末１３から３回目のコーディネーションデータが送信されている場合は、チェックボックス２０ｆに（３）マークが表示される。登録アドバイザー端末１３からコーディネーションデータが４回以上の送信されている場合は、図示はしていないが、チェックボックス２０ｆに（４）〜（ｎ）が表示される。
【０１１６】
図２０のアドバイザー名一覧画面において、アドバイザー名表示エリア２０ａに表示されたアドバイザー名のうちのチェックボックス２０ｆに（←）マークが表示されたアドバイザーの中から特定のアドバイザー名を反転（アドバイザーを選択）させ、返信・表示決定ボタン２０ｂをクリックすると、特定したアドバイザー（データ送信済みのアドバイザー）に対応する服飾データ返信・表示画面が登録利用者端末１４に表示される。
【０１１７】
服飾データ返信・表示画面には、図２１に示すように、特定したアドバイザーのアドバイザー情報を表示したアドバイザー情報表示エリア２１ａ、登録アドバイザー端末１３から送信された服飾データが表示された服飾データ表示エリア２１ｂ、コーディネーションデータ表示ボタン２１ｃ、送信ボタン２１ｄ、戻るボタン２１ｅ、キャンセルボタン２１ｆが表示される。戻るボタン２１ｅをクリックすると、図２０のアドバイザー名一覧画面に戻り、キャンセルボタン２１ｆをクリックすると、登録利用者端末１４がこのシステム１０からログアウトする。服飾データ表示エリア２１ｂには、受信した各種の服飾データの画像の他に、アドバイザー名が表示されるとともに、すべて返信ボタン２１ｇが表示される。
【０１１８】
図２１の服飾データ返信・表示画面の服飾データ表示エリア２１ｂにおいて特定の服飾データ（画像）の上にカーソルを位置させると、その服飾データの詳細表示が登録利用者端末１４のディスプレイ１５やマルチタッチパネル１６に表示される。服飾データの詳細表示では、服飾データの画像、服飾のサイズ、色、金額、ブランド名、デザイナー名、ショップ名、ファッション雑誌名（書籍名）、ファッションモデル名、デザイナーのホームページのＵＲＬ、ショップのホームページのＵＲＬ、ファッション雑誌名（書籍名）のホームページのＵＲＬ、ファッションモデルのホームページのＵＲＬが表示される（図１８援用）。利用者は、図１８を援用する詳細表示を見ることで、服飾データに付随する各種データの詳細を知ることができる。
【０１１９】
各種複数の服飾データ（その他の各種データを含む）を受信した後、利用者は、図２１の服飾データ返信・表示画面の服飾データ表示エリア２１ｂにおいてアドバイザー端末１３に返信する所望の服飾データを反転させた後（返信する所望の服飾データを選択した後、なお、すべて選択ボタン２１ｇをクリックすると服飾データ表示エリア２１ｂに表示されたすべての服飾データ（その他の各種データを含む）が選択される）、送信ボタン２１ｃをクリックする。送信ボタン２１ｃをクリックすると、図示はしていないが、返信確認画面が登録利用者端末１４に表示される。
【０１２０】
返信確認画面には、選択した服飾データ（その他の各種データを含む）が表示されるとともに、返信実行ボタン、キャンセルボタンが表示される。キャンセルボタンをクリックすると、図２１の服飾データ返信・表示画面に戻る。利用者が返信確認画面において返信する服飾データ（その他の各種データを含む）を確認した後、返信実行ボタンをクリックすると、選択した所望の服飾データ（画像）が管理サーバ１２を介して（管理サーバ１２を経由して）登録利用者端末１４から登録アドバイザー端末１３に送信される（服飾データ返信手段）。
【０１２１】
なお、服飾データの返信に伴って、選択したそれら服飾データの服飾の金額データ（その他の各種データ）が管理サーバ１２を介して登録利用者端末１４から登録アドバイザー端末１３に返信されるとともに（金額データ返信手段）、選択したそれら服飾データの服飾のブランドデータ（その他の各種データ）が管理サーバ１２を介して登録利用者端末１４から登録アドバイザー端末１３に返信される（ブランドデータ返信手段）。選択したそれら服飾データの服飾のデザイナーデータ（その他の各種データ）が管理サーバ１２を介して登録利用者端末１４から登録アドバイザー端末１３に返信されるとともに（デザイナーデータ返信手段）、選択したそれら服飾データの服飾を扱うショップデータ（その他の各種データ）が管理サーバ１２を介して登録利用者端末１４から登録アドバイザー端末１３に返信される（ショップデータ返信手段）。
【０１２２】
さらに、選択したそれら服飾データの服飾を掲載する書籍データ（その他の各種データ）が管理サーバ１２を介して登録利用者端末１４から登録アドバイザー端末１３に返信されるとともに（書籍データ返信手段）、それら服飾データの服飾を着用したモデルデータ（その他の各種データ）が管理サーバ１２を介して登録利用者端末１４から登録アドバイザー端末１３に返信される（モデルデータ返信手段）。登録利用者端末１４は、返信年月日（時間を含む）とともに登録アドバイザー端末１３に返信したデータを登録利用者端末１４の端末識別情報に関連付けた状態でハードディスクや半導体メモリに保存する。
【０１２３】
登録アドバイザー端末１３は、管理サーバ１２を介して（管理サーバ１２を経由して）登録利用者端末１４から返信された服飾データや金額データ、ブランドデータ、デザイナーデータ、ショップデータ、書籍データ、モデルデータを受信する。登録アドバイザー端末１３は、返信年月日（時間を含む）とともに登録利用者端末１４から返信されたデータを登録アドバイザー端末１３および登録利用者端末１４の端末識別情報に関連付けた状態でハードディスクや半導体メモリに保存する。
【０１２４】
図２２は、コーディネーションデータ作成・表示画面の一例を示す図であり、図２３は、作成されたコーディネーションデータの詳細表示画面の一例を示す図である。図２２では、登録アドバイザー端末１３においてコーディネーションデータが作成され、それらコーディネーションデータが表示されている。契約した利用者のコーディネーションデータをアドバイザーが作成する場合、図７の初期画面の利用者一覧表示ボタン７ｆまたはデータ送信ボタン７ｇをクリックする。それらボタン７ｆ，７ｇのいずれかをクリックすると、管理サーバ１２が登録アドバイザー端末１３にそのアドバイザーと契約している利用者の利用者名一覧を含む利用者情報を送信する。登録アドバイザー端末１３のディスプレイ１５やマルチタッチパネル１６には、図１６の利用者名一覧画面が表示される。
【０１２５】
図１６の利用者名一覧画面において、利用者名表示エリア１６ａに表示された利用者名の中から特定の利用者名を反転（契約した利用者を選択）させ、コーディネーションデータ作成ボタン１６ｃをクリックすると、特定した利用者に対応するコーディネーションデータ作成・表示画面が登録アドバイザー端末１３に表示される。コーディネーションデータ作成・表示画面には、図２２に示すように、特定した利用者の利用者情報を表示した利用者情報表示エリア２２ａ、各種複数のポータルサイトから取得した服飾データまたは登録利用者端末１４から返信された服飾データが表示された服飾データ表示エリア２２ｂ、作成された複数のコーディネーションデータが表示されたコーディネーションデータ表示エリア２２ｃ、保存ボタン２２ｄ、コーディネーションデータ送信ボタン２２ｅ、メインメニューボタン２２ｆが表示される。メインメニューボタン２２ｆをクリックすると、図７の初期画面に戻る。
【０１２６】
コーディネーションデータ表示エリア２２ｃでは、チェックボックス２２ｇが表示され、エリア２２ｃの各表示スペース２２ｃ１〜２２ｃ５に表示されたコーディネーションデータのうち、既に登録利用者端末１４に送信されたコーディネーションデータを表示した表示スペース２２ｃ３，２２ｃ４のチェックボックス２２ｇにチェックマークが入れられているとともに、その表示スペース２２ｃ３，２２ｃ４に送信年月日が表示されている。コーディネーションデータが作成されていない場合は、コーディネーションデータ表示エリア２２ｃは空白となる。
【０１２７】
アドバイザーは、服飾データ表示エリア２２ｂに表示された各種複数の服飾データを使用し、登録利用者端末１４の利用者に似合うように服飾データをコーディネーションして各種複数のコーディネーションデータを作成する（コーディネーションデータ作成手段）。なお、服飾データ表示エリア２２ｂでは、登録利用者端末１４から返信された服飾データが反転している。コーディネーションデータの作成は、たとえば、利用者情報表示エリア２２ａに表示された利用者の写真（顔写真や容姿の写真）をコーディネーションデータ表示エリア２２ｃのうちのそれら表示スペース２２ｃ１〜２２ｃ５に貼り付けるとともに、服飾データ表示エリア２２ｂに表示された各服飾データを表示スペース２２ｃ１〜２２ｃ５に貼り付ける。なお、写真を貼り付けることなく、コーディネーションデータを作成してもよく、他のモデルの写真やイラストに画かれた人物等を貼り付けることもできる。
【０１２８】
アドバイザーは、服飾データ返信手段によって登録利用者端末１４から返信された服飾データ（服飾データ表示エリア２２ｂにおいて反転した服飾データ）を参酌しつつコーディネーションデータを作成するが、服飾データ表示エリア２２ｂに表示された服飾データのうちの登録利用者端末１４から返信された服飾データ以外のデータを使用してコーディネーションデータを作成することもでき、返信された服飾データとそれ以外の服飾データとを組み合わせてコーディネーションデータを作成することもできる。
【０１２９】
図２２の服飾データ表示エリア２２ｂにおいて特定の服飾データ（画像）の上にカーソルを位置させると、その服飾データの詳細表示が登録アドバイザー端末１３に表示される。その服飾データの詳細表示では、その服飾データの画像、その服飾のサイズ、色、金額、ブランド名、デザイナー名、ショップ名、ファッション雑誌名（書籍名）、ファッションモデル名、デザイナーのホームページのＵＲＬ、ショップのホームページのＵＲＬ、ファッション雑誌名（書籍名）のホームページのＵＲＬ、ファッションモデルのホームページのＵＲＬが表示される（図１８参照）。
【０１３０】
アドバイザーは、金額データ返信手段によって登録利用者端末１４から返信された金額データに対応する服飾データ、ブランドデータ返信手段によって登録利用者端末１４から返信されたブランドデータに対応する服飾データ、デザイナーデータ返信手段によって登録利用者端末１４から返信されたデザイナーデータに対応する服飾データ、ショップデータ返信手段によって登録利用者端末１４から返信されたショップデータに対応する服飾データ、書籍データ返信手段によって登録利用者端末１４から返信された書籍データに掲載された服飾データ、モデルデータ返信手段によって登録利用者端末１４から返信されたモデルデータに対応する服飾データのうちの少なくとも１つを参酌しつつコーディネーションデータを作成するが、それらデータに対応する服飾データを参酌せずにコーディネーションデータを作成することもできる。
【０１３１】
コーディネーションデータを作成した後、コーディネーションデータ作成画面の保存ボタン２２ｄをクリックする。保存ボタン２２ｄをクリックすると、コーディネーションデータの作成年月日とともにそのコーディネーションデータが登録アドバイザー端末１３および登録利用者端末１４の端末特定情報に関連付けられた状態で登録アドバイザー端末１３のハードディスクまたは半導体メモリに記憶される（コーディネーションデータ記憶手段）。
【０１３２】
複数のコーディネーションデータが作成されている場合、そのうちのコーディネーションデータの詳細を表示させることができる。たとえば、コーディネーションデータ表示エリア２２ｃに表示された表示スペース２２ｃ１〜２２ｃ５のうちの特定のそれの上にカーソルを移動させた状態でクリックすると、その表示スペース２２ｃ１〜２２ｃ５に表示されたコーディネーションデータの詳細画面が登録アドバイザー端末１３に表示される。
【０１３３】
コーディネーションデータの詳細画面には、図２３に示すように、利用者の利用者情報を表示した利用者情報表示エリア２３ａ、コーディネーションデータの作成に使用した服飾データが表示された服飾データ表示エリア２３ｂ、コーディネーションデータが表示されたコーディネーションデータ表示エリア２３ｃ、各種データが表示された各種データ表示エリア２３ｄ、戻るボタン２３ｅ、メインメニューボタン２３ｆが表示される。戻るボタン２３ｅをクリックすると、図２２のコーディネーションデータ作成・表示画面に戻り、メインメニューボタン２３ｆをクリックすると、図７の初期画面に戻る。
【０１３４】
各種データ表示エリア２３ｄには、コーディネーションデータ表示エリア２３ｃに表示されたコーディネーションデータを構成する各服飾データのサイズ、コーディネーションデータを構成する各服飾データの色、コーディネーションデータを構成する各服飾データの金額、コーディネーションデータを構成する各服飾データのブランド名、コーディネーションデータを構成する各服飾データのデザイナー名、コーディネーションデータを構成する各服飾データのショップ名、コーディネーションデータを構成する各服飾データの雑誌名、コーディネーションデータを構成する各服飾データのモデル名、コーディネーションデータの総額が表示される。コーディネーションデータ表示エリア２３ｃには、チェックマークが入ったチェックボックス２３ｇと送信年月日とが表示される。アドバイザーは、図２３の詳細画面を見ることで、作成したコーディネーションデータの詳細を確認することができる。
【０１３５】
図２４は、コーディネーションデータの受信を示す図であり、図２５は、コーディネーションデータ表示画面の一例を示す図である。図２６は、受信したコーディネーションデータの詳細表示画面の一例を示す図である。コーディネーションデータを作成した後、アドバイザーは、作成したそれらコーディネーションデータを管理サーバ１２を介して（サーバ１２を経由して）登録利用者端末１４に送信する（コーディネーションデータ送信手段）。
【０１３６】
図２２のコーディネーションデータ作成・表示画面のコーディネーションデータ表示エリア２２ｃに表示されたコーディネーションデータのうち、送信するコーディネーションデータを反転させ（複数選択可）、コーディネーションデータ送信ボタン２２ｅをクリックする。コーディネーションデータ送信ボタン２２ｅをクリックすると、選択したコーディネーションデータが管理サーバ１２を介して登録アドバイザー端末１３から登録利用者端末１４に送信される。
【０１３７】
登録アドバイザー端末１３は、送信したコーディネーションデータに送信記録を記載するとともに送信年月日を記載する。管理サーバ１２は、登録アドバイザー端末１３から受信したコーディネーションデータを登録利用者端末１４に送信した後、受信年月日および送信年月日とともに、そのコーディネーションデータを登録アドバイザー端末１３および登録利用者端末１４の端末特定情報に関連付けた状態でハードディスクに記憶する。
【０１３８】
なお、既に作成されて登録アドバイザー端末１３のハードディスクや半導体メモリに記憶されたコーディネーションデータを送信するには、図１６の利用者名一覧表示画面において、利用者名を反転させた後（複数選択可）、コーディネーションデータ送信ボタン１６ｃをクリックする。利用者名一覧表示画面のコーディネーションデータ送信ボタン１６ｃをクリックすると、図２２のコーディネーションデータ作成・表示画面が登録アドバイザー端末１３に表示され、上記と同様の手順でコーディネーションデータを登録利用者端末１４に送信する（コーディネーションデータ送信手段）。
【０１３９】
登録利用者端末１４は、登録アドバイザー端末１３から送信されたコーディネーションデータを管理サーバ１２を介して（サーバ１２を経由して）受信する（コーディネーションデータ受信手段）。登録利用者端末１４は、コーディネーションデータを受信した受信年月日とともに、そのコーディネーションデータを登録利用者端末１４および登録アドバイザー利用者端末１３の端末特定情報に関連付けた状態でハードディスクや半導体メモリに記憶する（コーディネーションデータ記憶手段）。
【０１４０】
契約したアドバイザーによって作成されたコーディネーションデータを登録利用者端末１４に表示させる場合、図４の初期画面のアドバイザー名一覧表示ボタン４ｄまたはコーディネーションデータデータ表示ボタン４ｆをクリックする。それらボタン４ｄ，４ｆのいずれかをクリックすると、管理サーバ１２が登録利用者端末１４にその利用者と契約しているアドバイザーのアドバイザー名一覧を含むアドバイザー情報を送信する。登録利用者端末１４のディスプレイ１５やマルチタッチパネル１６には、図２０のアドバイザー名一覧画面が表示される。
【０１４１】
図２０のアドバイザー名一覧画面において、アドバイザー名表示エリア２０ａに表示されたアドバイザー名の中から特定のアドバイザー名を反転（契約したアドバイザーを選択）させ、コーディネーションデータ表示ボタン２０ｃをクリックすると、特定したアドバイザーに対応するコーディネーションデータ表示画面が登録利用者端末１４に表示される。
【０１４２】
コーディネーションデータ表示画面には、図２５に示すように、特定したアドバイザーのアドバイザー情報を表示したアドバイザー情報表示エリア２５ａ、登録アドバイザー端末１３から送信された服飾データが表示された服飾データ表示エリア２５ｂ、登録アドバイザー端末１３から送信された複数のコーディネーションデータが表示されたコーディネーションデータ表示エリア２５ｃ、印刷ボタン２５ｄ、メインメニューボタン２５ｅが表示される。コーディネーションデータ表示エリア２５ｃには、エリア２２ｃの各表示スペース２２ｃ１〜２２ｃ５にコーディネーションデータと送信年月日とが表示されている。印刷ボタン２５ｄをクリックすると、コーディネーションデータ表示画面において指定された印刷範囲がプリンタで印刷される。メインメニューボタン２５ｅをクリックすると、図４の初期画面に戻る。
【０１４３】
図２５の服飾データ表示エリア２５ｂにおいて特定の服飾データ（画像）の上にカーソルを位置させると、その服飾データの詳細表示が登録利用者端末１４に表示される。その服飾データの詳細表示では、その服飾データの画像、その服飾のサイズ、色、金額、ブランド名、デザイナー名、ショップ名、ファッション雑誌名（書籍名）、ファッションモデル名、デザイナーのホームページのＵＲＬ、ショップのホームページのＵＲＬ、ファッション雑誌名（書籍名）のホームページのＵＲＬ、ファッションモデルのホームページのＵＲＬが表示される（図１８参照）。
【０１４４】
コーディネーションデータ表示エリア２５ｃに表示された表示スペース２５ｃ１〜２５ｃ５のうちの特定のそれの上にカーソルを移動させた状態でクリックすると、その表示スペース２５ｃ１〜２５ｃ５に表示されたコーディネーションデータの詳細画面が登録利用者端末１４に表示される。
【０１４５】
コーディネーションデータの詳細画面には、図２６示すように、アドバイザーのアドバイザー情報を表示した情報表示エリア２６、コーディネーションデータの作成に使用された服飾データが表示された服飾データ表示エリア２６ｂ、コーディネーションデータが表示されたコーディネーションデータ表示エリア２６ｃ、各種データが表示された各種データ表示エリア２６ｄ、印刷ボタン２６ｅ、戻るボタン２６ｆ、メインメニューボタン２６ｇが表示される。戻るボタン２６ｆをクリックすると、図２５のコーディネーションデータ表示画面に戻り、メインメニューボタン２６ｆをクリックすると、図４の初期画面に戻る。
【０１４６】
各種データ表示エリア２６ｄには、コーディネーションデータ表示エリア２６ｃに表示されたコーディネーションデータを構成する各服飾データのサイズ、コーディネーションデータを構成する各服飾データの色、コーディネーションデータを構成する各服飾データの金額、コーディネーションデータを構成する各服飾データのブランド名、コーディネーションデータを構成する各服飾データのデザイナー名、コーディネーションデータを構成する各服飾データのショップ名、コーディネーションデータを構成する各服飾データの雑誌名、コーディネーションデータを構成する各服飾データのモデル名、コーディネーションデータの総額が表示される。コーディネーションデータ表示エリア２３ｃには、受信年月日が表示される。利用者は、図２６の詳細画面を見ることで、送信されたコーディネーションデータの詳細を確認することができる。
【０１４７】
服飾アドバイスシステム１０は、開示された利用者情報に基づいてそれらアドバイザーが所望の利用者を選出したときに、選出した利用者の利用者端末１４（１４Ａ〜１４Ｃ）にそれらアドバイザーのアドバイザー情報や入札情報を開示し、開示されたアドバイザー情報や入札情報に基づいて、それら利用者が所望のアドバイザーを選出するから、複数のアドバイザーの中から利用者が自分の嗜好や希望、入札条件を備えたアドバイザーを選ぶことができ、利用者の嗜好や希望、入札条件に合致したアドバイザーに服飾のコーディネーションを行わせることができる。
【０１４８】
服飾アドバイスシステム１０は、利用者情報を参照しつつインターネット１１上に存在する各種複数のポータルサイト（ホームページ）に掲載された各種複数の服飾データの中から利用者に似合う各種複数の服飾データを取得し、それらポータルサイトから取得した利用者用の各種複数の服飾データをコーディネーションして各種複数のコーディネーションデータを作成するから、ポータルサイトを利用して各種複数の服飾の中から利用者に似合う服飾を選ぶことができ、利用者に似合う各種複数の服飾をコーディネーションしたコーディネーションデータを各利用者に提供することができる。また、登録利用者端末１４の利用者は、登録アドバイザー端末１３のアドバイザーから提供されたコーディネーションデータを利用することで、自分に似合う自分だけのオリジナルな服飾の組み合わせを取得することができ、ファッションセンスの向上を図ることができる。
【０１４９】
服飾アドバイスシステム１０は、登録アドバイザー端末１３から送信された服飾データの中から利用者が自分の嗜好にあった服飾データを選択することができ、好みの服飾データを参酌させた状態でアドバイザーに服飾のコーディネーションを行わせることができるとともに、登録アドバイザー端末１３から送信された服飾データの中から利用者が自分の予算にあった金額の服飾データを選択することができ、予算内の服飾データを参酌させた状態でアドバイザーに服飾のコーディネーションを行わせることができる。
【０１５０】
服飾アドバイスシステム１０は、登録アドバイザー端末１３から送信されたブランドデータの中から利用者が自分の嗜好にあったブランドデータを選択することができ、好みのブランドデータを参酌させた状態でアドバイザーに服飾のコーディネーションを行わせることができるとともに、登録アドバイザー端末１３から送信されたデザイナーデータの中から利用者が自分の好きなデザイナーデータを選択することができ、好みのデザイナーデータを参酌させた状態でアドバイザーに服飾のコーディネーションを行わせることができる。
【０１５１】
服飾アドバイスシステム１０は、登録アドバイザー端末１３から送信されたショップデータの中から利用者が自分の好きなショップデータを選択することができ、好みのショップデータを参酌させた状態でアドバイザーに服飾のコーディネーションを行わせることができるとともに、登録アドバイザー端末１３から送信された書籍データの中から利用者が自分の好きな書籍データを選択することができ、好みの書籍データに掲載された服飾データを参酌させた状態でアドバイザーに服飾のコーディネーションを行わせることができる。また、登録アドバイザー端末１３から送信されたモデルデータの中から利用者が自分の好きなモデルデータを選択することができ、好みのモデルデータの服飾データを参酌させた状態でアドバイザーに服飾のコーディネーションを行わせることができる。
【符号の説明】
【０１５２】
１０    服飾アドバイスシステム
１１    インターネット
１２    管理サーバ
１３    アドバイザー端末（登録アドバイザー端末）
１３Ａ  ノートパソコン（アドバイザー端末，登録アドバイザー端末）
１３Ｂ  スマートフォン（アドバイザー端末，登録アドバイザー端末）
１３Ｃ  タブレット（アドバイザー端末，登録アドバイザー端末）
１４    利用者端末（登録利用者端末）
１４Ａ  ノートパソコン（利用者端末，登録利用者端末）
１４Ｂ  スマートフォン（利用者端末，登録利用者端末）
１４Ｃ  タブレット（利用者端末，登録利用者端末）
１５    ディスプレイ
１６    マルチタッチパネル
【図１】
2015026190.tif 000003
【図２】
2015026190.tif 000004
【図３】
2015026190.tif 000005
【図４】
2015026190.tif 000006
【図５】
2015026190.tif 000007
【図６】
2015026190.tif 000008
【図７】
2015026190.tif 000009
【図８】
2015026190.tif 000010
【図９】
2015026190.tif 000011
【図１０】
2015026190.tif 000012
【図１１】
2015026190.tif 000013
【図１２】
2015026190.tif 000014
【図１３】
2015026190.tif 000015
【図１４】
2015026190.tif 000016
【図１５】
2015026190.tif 000017
【図１６】
2015026190.tif 000018
【図１７】
2015026190.tif 000019
【図１８】
2015026190.tif 000020
【図１９】
2015026190.tif 000021
【図２０】
2015026190.tif 000022
【図２１】
2015026190.tif 000023
【図２２】
2015026190.tif 000024
【図２３】
2015026190.tif 000025
【図２４】
2015026190.tif 000026
【図２５】
2015026190.tif 000027
【図２６】
2015026190.tif 000028